(57)【要約】【課題】高感度且つ高選択的に検査対象タンパク質がＧＰＩアンカー型タンパク質であるか否かを判定する。【解決手段】Ｎ末端側疎水性判定部１０６は、検査対象タンパク質と既知のＧＰＩアンカー型タンパク質とのＮ末端側の疎水性を比較する。次に、Ｎ末端外疎水性判定部１０８は、検査対象タンパク質と既知のＧＰＩアンカー型タンパク質とのＮ末端側以外の疎水性を比較し、Ｃ末端側最大疎水位置判定部１０９は、検査対象タンパク質と既知のＧＰＩアンカー型タンパク質とのＣ末端側の高疎水性位置を比較する。次に、スコア判定部１１５は、ＰＳＳＭ記憶部１１３が記憶するＰＳＳＭに基づいて算出された検査対象タンパク質のスコアが閾値を超えるか否かを判定する。ＧＰＩアンカー型タンパク質判定部１１６は、上述した比較・判定結果に基づいて、検査対象タンパク質がＧＰＩアンカー型タンパク質であるか否かを判定する。【選択図】図１
2011060004.tif 000002
【特許請求の範囲】
【請求項１】
検査対象タンパク質がＧＰＩアンカー型タンパク質であるか否かを判定するＧＰＩアンカー型タンパク質の判定装置であって、
前記検査対象タンパク質のアミノ酸配列情報を取得する配列取得部と、
前記配列取得部が取得したアミノ酸配列情報における既知のＧＰＩアンカー型タンパク質のＮ末端側の高疎水性領域に対応する領域のアミノ酸残基のそれぞれに対して、連続するＮ末端側疎水性特性抽出必要数分のアミノ酸残基の各疎水性指標値の平均であるＮ末端側平均疎水性値を算出するＮ末端側疎水性値算出部と、
前記Ｎ末端側疎水性値算出部が算出したＮ末端側平均疎水性値の最大値が、既知のＧＰＩアンカー型タンパク質におけるＮ末端側平均疎水性値の特性を示すＮ末端側疎水性閾値以上であるか否かを判定するＮ末端側疎水性判定部と、
前記配列取得部が取得したアミノ酸配列情報のうち前記Ｎ末端側疎水性値算出部がＮ末端側平均疎水性値を算出した範囲以外のアミノ酸残基のそれぞれに対して、連続するＮ末端外疎水性特性抽出数分のアミノ酸残基の各疎水性指標値の平均であるＮ末端外平均疎水性値を算出するＮ末端外疎水性値算出部と、
前記Ｎ末端外疎水性値算出部が算出したＮ末端外平均疎水性値の最大値が、既知のＧＰＩアンカー型タンパク質におけるＮ末端外平均疎水性値の特性を示すＮ末端外疎水性閾値以上であるか否かを判定するＮ末端外疎水性判定部と、
前記Ｎ末端外疎水性値算出部が算出したＮ末端外平均疎水性値が最大となるアミノ酸残基の位置が既知のＧＰＩアンカー型タンパク質のＣ末端側の高疎水性領域に対応する領域内にあるか否かを判定するＣ末端側最大疎水位置判定部と、
前記配列取得部が取得したアミノ酸配列情報における既知のＧＰＩアンカー型タンパク質のプロペプチド領域を含む領域である小側鎖サイズ判定領域のアミノ酸残基のそれぞれに対して、連続する側鎖サイズ特性抽出必要数分のアミノ酸残基の各側鎖サイズ指標値の平均値である平均側鎖サイズを算出する側鎖サイズ算出部と、
前記側鎖サイズ算出部が算出した平均側鎖サイズが最小となる位置を基準位置とする所定の領域におけるアミノ酸残基の部分配列と、既知のＧＰＩアンカー型タンパク質の平均側鎖サイズが最小となる位置を基準位置とする前記所定の領域におけるアミノ酸残基の部分配列と、の類似度を示すスコアを算出するスコア算出部と、
前記スコア算出部が算出したスコアが、前記検査対象タンパク質と既知のＧＰＩアンカー型タンパク質とが類似するか否かを判定するスコア判定閾値以上であるか否かを判定するスコア判定部と、
前記Ｎ末端側疎水性判定部、前記Ｎ末端外疎水性判定部、前記Ｃ末端側最大疎水位置判定部、及び前記スコア判定部の判定結果に基づいて前記検査対象タンパク質がＧＰＩアンカー型タンパク質であるか否かを判定するＧＰＩアンカー型タンパク質判定部と、
を備えることを特徴とするＧＰＩアンカー型タンパク質の判定装置。
【請求項２】
前記Ｎ末端側疎水性閾値は、
予め既知の複数のＧＰＩアンカー型タンパク質に対して前記Ｎ末端側平均疎水性値の算出を行い、当該算出されたＮ末端側平均疎水性値の最大値の集合における最小値である
ことを特徴とする請求項１に記載のＧＰＩアンカー型タンパク質の判定装置。
【請求項３】
前記Ｎ末端外疎水性閾値は、
予め既知の複数のＧＰＩアンカー型タンパク質に対して前記Ｎ末端外平均疎水性値の算出を行い、当該算出されたＮ末端外平均疎水性値の最大値の集合における最小値である
ことを特徴とする請求項１または請求項２の何れか１項に記載のＧＰＩアンカー型タンパク質の判定装置。
【請求項４】
前記既知のＧＰＩアンカー型タンパク質のＮ末端側の高疎水性領域に対応する領域は、
既知のＧＰＩアンカー型タンパク質において、前記Ｎ末端側平均疎水性値が最大となる位置が含まれる領域である、
ことを特徴とする請求項１から請求項３の何れか１項に記載のＧＰＩアンカー型タンパク質の判定装置。
【請求項５】
前記既知のＧＰＩアンカー型タンパク質のＣ末端側の高疎水性領域に対応する領域は、
既知のＧＰＩアンカー型タンパク質のＮ末端側の高疎水性領域に対応する領域以外の領域において、前記Ｎ末端外平均疎水性値が最大となる位置が含まれる領域である、
ことを特徴とする請求項１から請求項４の何れか１項に記載のＧＰＩアンカー型タンパク質の判定装置。
【請求項６】
前記Ｎ末端側疎水性特性抽出必要数は、
当該Ｎ末端側疎水性特性抽出必要数を用いて、既知の複数のＧＰＩアンカー型タンパク質のＮ末端側の高疎水性領域のアミノ酸残基のそれぞれに対してＮ末端側平均疎水性値を算出し、前記既知のＧＰＩアンカー型タンパク質から算出したＮ末端側平均疎水性値の最大値の集合における最小値を抽出し、前記Ｎ末端側疎水性特性抽出必要数を用いて、既知の複数の非ＧＰＩアンカー型タンパク質における既知のＧＰＩアンカー型タンパク質のＮ末端側の高疎水性領域に対応する領域のアミノ酸残基のそれぞれに対してＮ末端側平均疎水性値を算出した場合に、前記既知の非ＧＰＩアンカー型タンパク質から算出したＮ末端側平均疎水性値の最大値のうち、前記抽出した最小値より値が大きいものの個数が最小となるような値である
ことを特徴とする請求項１から請求項５の何れか１項に記載のＧＰＩアンカー型タンパク質の判定装置。
【請求項７】
前記Ｎ末端外疎水性特性抽出必要数は、
当該Ｎ末端外疎水性特性抽出必要数を用いて、既知の複数のＧＰＩアンカー型タンパク質のＮ末端側の高疎水性領域以外の領域のアミノ酸残基のそれぞれに対してＮ末端外平均疎水性値を算出し、前記既知のＧＰＩアンカー型タンパク質から算出したＮ末端外平均疎水性値の最大値の集合における最小値を抽出し、前記Ｎ末端外疎水性特性抽出必要数を用いて、既知の複数の非ＧＰＩアンカー型タンパク質における既知のＧＰＩアンカー型タンパク質のＮ末端側の高疎水性領域に対応する領域以外の領域のアミノ酸残基のそれぞれに対してＮ末端外平均疎水性値を算出した場合に、前記既知の非ＧＰＩアンカー型タンパク質から算出したＮ末端外平均疎水性値の最大値のうち、前記抽出した最小値より値が大きいものの個数が最小となるような値である
ことを特徴とする請求項１から請求項６の何れか１項に記載のＧＰＩアンカー型タンパク質の判定装置。
【請求項８】
前記小側鎖サイズ判定領域は、
既知のＧＰＩアンカー型タンパク質の前記平均側鎖サイズが最小となる位置が含まれる領域である、
ことを特徴とする請求項１から請求項７に何れか１項に記載のＧＰＩアンカー型タンパク質の判定装置。
【請求項９】
前記側鎖サイズ特性抽出必要数は、
当該側鎖サイズ特性抽出必要数を用いて、既知の複数のＧＰＩアンカー型タンパク質の小側鎖サイズ判定領域に対して平均側鎖サイズを算出した場合に、前記ＧＰＩアンカー型タンパク質から算出した平均側鎖サイズが最小となるアミノ酸残基のうち、当該アミノ酸残基のＣ末端側に隣接するアミノ酸残基がＧＰＩアンカー修飾部位であるものの個数が最大となるような値である
ことを特徴とする請求項１から請求項６の何れか１項に記載のＧＰＩアンカー型タンパク質の判定装置。
【請求項１０】
前記スコア算出部は、
ＧＰＩアンカー型タンパク質のアミノ酸残基位置におけるアミノ酸残基の種類の出現度合いを示す位置特異的スコアを参照し、前記側鎖サイズ算出部が算出した平均側鎖サイズが最小となる位置を基準位置とする前記所定の領域のアミノ酸残基のそれぞれに対応する前記位置特異的スコアの平均値を前記スコアとして算出する
ことを特徴とする請求項１から請求項９の何れか１項に記載のＧＰＩアンカー型タンパク質の判定装置。
【請求項１１】
前記位置特異的スコアは、
既知の複数のＧＰＩアンカー型タンパク質の平均側鎖サイズが最小となる位置を基準位置とする前記所定の領域内の位置ｐに存在するアミノ酸残基の種類ｉの出現頻度を示すｆｉｐｐｏｓｉｔｉｖｅ、既知の複数の非ＧＰＩアンカー型タンパク質の平均側鎖サイズが最小となる位置を基準位置とする前記所定の領域内の位置ｐに存在するアミノ酸残基の種類ｉの出現頻度を示すｆｉｐｎｅｇａｔｉｖｅを用いて、
【数１】
2011060004.tif 000009
から算出されたものであることを特徴とする請求項１０に記載のＧＰＩアンカー型タンパク質の判定装置。
【請求項１２】
前記所定の領域内の位置ｐに存在するアミノ酸残基の種類ｉの出現頻度は、
種類ｉのアミノ酸残基が位置ｐに存在する既知のＧＰＩアンカー型タンパク質の個数を示すｎｉｐと、当該出現頻度の調整値を示すεと、アミノ酸残基の種類数ｓとを用いて、
【数２】
2011060004.tif 000010
から算出されたものであることを特徴とする請求項１１に記載のＧＰＩアンカー型タンパク質の判定装置。
【請求項１３】
前記スコア判定閾値は、
既知の複数のＧＰＩアンカー型タンパク質について算出した前記スコアの最小値と、既知の複数の非ＧＰＩアンカー型タンパク質について算出した前記スコアの最大値との間の値である
ことを特徴とする請求項１０から請求項１２の何れか１項に記載のＧＰＩアンカー型タンパク質の判定装置。
【請求項１４】
前記スコア判定閾値は、
前記スコアが当該スコア判定閾値以上である既知のＧＰＩアンカー型タンパク質の個数を示すＴＰ、前記スコアが当該スコア判定閾値以上である既知の非ＧＰＩアンカー型タンパク質の個数を示すＦＮ、前記スコアが当該スコア判定閾値未満である既知のＧＰＩアンカー型タンパク質の個数を示すＦＰを用いて、
【数３】
2011060004.tif 000011
から算出される値が最大となるような値である
こと特徴とする請求項１３に記載のＧＰＩアンカー型タンパク質の判定装置。
【請求項１５】
検査対象タンパク質がＧＰＩアンカー型タンパク質であるか否かを判定するＧＰＩアンカー型タンパク質の判定装置を用いた判定方法であって、
配列取得部は、前記検査対象タンパク質のアミノ酸配列情報を取得し、
Ｎ末端側疎水性値算出部は、前記配列取得部が取得したアミノ酸配列情報における既知のＧＰＩアンカー型タンパク質のＮ末端側の高疎水性領域に対応する領域のアミノ酸残基のそれぞれに対して、連続するＮ末端側疎水性特性抽出必要数分のアミノ酸残基の各疎水性指標値の平均であるＮ末端側平均疎水性値を算出し、
Ｎ末端側疎水性判定部は、前記Ｎ末端側疎水性値算出部が算出したＮ末端側平均疎水性値の最大値が、既知のＧＰＩアンカー型タンパク質におけるＮ末端側平均疎水性値の特性を示すＮ末端側疎水性閾値以上であるか否かを判定し、
Ｎ末端外疎水性値算出部は、前記配列取得部が取得したアミノ酸配列情報のうち前記Ｎ末端側疎水性値算出部がＮ末端側平均疎水性値を算出した範囲以外のアミノ酸残基のそれぞれに対して、連続するＮ末端外疎水性特性抽出数分のアミノ酸残基の各疎水性指標値の平均であるＮ末端外平均疎水性値を算出し、
Ｎ末端外疎水性判定部は、前記Ｎ末端外疎水性値算出部が算出したＮ末端外平均疎水性値の最大値が、既知のＧＰＩアンカー型タンパク質におけるＮ末端外平均疎水性値の特性を示すＮ末端外疎水性閾値以上であるか否かを判定し、
Ｃ末端側最大疎水位置判定部は、前記Ｎ末端外疎水性値算出部が算出したＮ末端外平均疎水性値が最大となるアミノ酸残基の位置が既知のＧＰＩアンカー型タンパク質のＣ末端側の高疎水性領域に対応する領域内にあるか否かを判定し、
側鎖サイズ算出部は、前記配列取得部が取得したアミノ酸配列情報における既知のＧＰＩアンカー型タンパク質のプロペプチド領域を含む領域である小側鎖サイズ判定領域のアミノ酸残基のそれぞれに対して、連続する側鎖サイズ特性抽出必要数分のアミノ酸残基の各側鎖サイズ指標値の平均値である平均側鎖サイズを算出し、
スコア算出部は、前記側鎖サイズ算出部が算出した平均側鎖サイズが最小となる位置を基準位置とする所定の領域におけるアミノ酸残基の部分配列と、既知のＧＰＩアンカー型タンパク質の平均側鎖サイズが最小となる位置を基準位置とする前記所定の領域におけるアミノ酸残基の部分配列と、の類似度を示すスコアを算出し、
スコア判定部は、前記スコア算出部が算出したスコアが、前記検査対象タンパク質と既知のＧＰＩアンカー型タンパク質とが類似するか否かを判定するスコア判定閾値以上であるか否かを判定し、
ＧＰＩアンカー型タンパク質判定部は、前記Ｎ末端側疎水性判定部、前記Ｎ末端外疎水性判定部、前記Ｃ末端側最大疎水位置判定部、及び前記スコア判定部の判定結果に基づいて前記検査対象タンパク質がＧＰＩアンカー型タンパク質であるか否かを判定する、
ことを特徴とする判定方法。
【請求項１６】
検査対象タンパク質がＧＰＩアンカー型タンパク質であるか否かを判定するＧＰＩアンカー型タンパク質の判定装置を、
前記検査対象タンパク質のアミノ酸配列情報を取得する配列取得部、
前記配列取得部が取得したアミノ酸配列情報における既知のＧＰＩアンカー型タンパク質のＮ末端側の高疎水性領域に対応する領域のアミノ酸残基のそれぞれに対して、連続するＮ末端側疎水性特性抽出必要数分のアミノ酸残基の各疎水性指標値の平均であるＮ末端側平均疎水性値を算出するＮ末端側疎水性値算出部、
前記Ｎ末端側疎水性値算出部が算出したＮ末端側平均疎水性値の最大値が、既知のＧＰＩアンカー型タンパク質におけるＮ末端側平均疎水性値の特性を示すＮ末端側疎水性閾値以上であるか否かを判定するＮ末端側疎水性判定部、
前記配列取得部が取得したアミノ酸配列情報のうち前記Ｎ末端側疎水性値算出部がＮ末端側平均疎水性値を算出した範囲以外のアミノ酸残基のそれぞれに対して、連続するＮ末端外疎水性特性抽出数分のアミノ酸残基の各疎水性指標値の平均であるＮ末端外平均疎水性値を算出するＮ末端外疎水性値算出部、
前記Ｎ末端外疎水性値算出部が算出したＮ末端外平均疎水性値の最大値が、既知のＧＰＩアンカー型タンパク質におけるＮ末端外平均疎水性値の特性を示すＮ末端外疎水性閾値以上であるか否かを判定するＮ末端外疎水性判定部、
前記Ｎ末端外疎水性値算出部が算出したＮ末端外平均疎水性値が最大となるアミノ酸残基の位置が既知のＧＰＩアンカー型タンパク質のＣ末端側の高疎水性領域に対応する領域内にあるか否かを判定するＣ末端側最大疎水位置判定部、
前記配列取得部が取得したアミノ酸配列情報における既知のＧＰＩアンカー型タンパク質のプロペプチド領域を含む領域である小側鎖サイズ判定領域のアミノ酸残基のそれぞれに対して、連続する側鎖サイズ特性抽出必要数分のアミノ酸残基の各側鎖サイズ指標値の平均値である平均側鎖サイズを算出する側鎖サイズ算出部、
前記側鎖サイズ算出部が算出した平均側鎖サイズが最小となる位置を基準位置とする所定の領域におけるアミノ酸残基の部分配列と、既知のＧＰＩアンカー型タンパク質の平均側鎖サイズが最小となる位置を基準位置とする前記所定の領域におけるアミノ酸残基の部分配列と、の類似度を示すスコアを算出するスコア算出部、
前記スコア算出部が算出したスコアが、前記検査対象タンパク質と既知のＧＰＩアンカー型タンパク質とが類似するか否かを判定するスコア判定閾値以上であるか否かを判定するスコア判定部、
前記Ｎ末端側疎水性判定部、前記Ｎ末端外疎水性判定部、前記Ｃ末端側最大疎水位置判定部、及び前記スコア判定部の判定結果に基づいて前記検査対象タンパク質がＧＰＩアンカー型タンパク質であるか否かを判定するＧＰＩアンカー型タンパク質判定部、
として機能させるための判定プログラム。
【発明の詳細な説明】
【技術分野】
【０００１】
本発明は、検査対象タンパク質がＧＰＩ（ｇｌｙｃｏｓｙｌｐｈｏｓｐｈａｔｉｄｙｌｉｎｏｓｉｔｏｌ）アンカー型タンパク質であるか否かを判定するＧＰＩアンカー型タンパク質の判定装置、判定方法及び判定プログラムに関する。
【背景技術】
【０００２】
生体内の多くのタンパク質は、糖鎖、脂質、糖脂質等により翻訳後修飾を受けており、これらの修飾がタンパク質の機能や細胞内局在に影響することが知られている。これらの翻訳後修飾の中でも、脂質と糖鎖とからなる糖脂質であるＧＰＩアンカーによる修飾は、非常に重要な意味を有するとされている。このことは、ＧＰＩアンカーが真核生物や古細菌において広く保存されていること、ＧＰＩアンカーを欠損した酵母や原虫は生存できず、ＧＰＩアンカーを欠損したヒトは造血幹細胞に異常を生じること等からも明らかである。
ＧＰＩにより修飾を受けるタンパク質は、ＧＰＩアンカー型タンパク質と呼ばれる。ＧＰＩアンカー型タンパク質は、そのアミノ酸配列のＮ末端に小胞体輸送のシグナルペプチドを有するため、小胞体内に輸送された後に翻訳を完了する。その後、ＧＰＩアンカー修飾部位（ωサイト）のＣ末端側に存在するプロペプチドが、トランスアミダーゼにより切断及び除去され、ＧＰＩアンカー型タンパク質は小胞体内で生合成されたＧＰＩアンカーと結合する。ＧＰＩアンカーと結合したＧＰＩアンカー型タンパク質は、ゴルジ体を経て細胞膜表面に輸送され、ＧＰＩアンカーにより細胞膜に繋ぎ止められる。
ＧＰＩアンカー型タンパク質の特徴としては、Ｎ末端のシグナルペプチド及びＣ末端のプロペプチドの疎水性が高く、ωサイトの近隣には残基サイズの小さいアミノ酸が存在することが知られている。
【０００３】
ＧＰＩアンカー型タンパク質としては、ＣＤ１４、ＣＤ１６ｂ等の受容体、５’−ヌクレオチダーゼ、アルカリフォスファターゼ等の酵素等の生体反応に極めて重要なタンパク質が多く発見されている。また、狂牛病関連のプリオンタンパク質や、癌関連のヒト癌胎児性抗原（ＣＥＡ）等、重篤な疾患に関わるタンパク質も見出されている。しかしながら、現在までに真核生物で知られているＧＰＩアンカー型タンパク質は１００種類程度であり、未だ発見されていないＧＰＩアンカー型タンパク質が多く存在すると考えられている。そこで、近年では、コンピュータを用いたバイオインフォマティクス手法により、アミノ酸配列からＧＰＩアンカー型タンパク質を新たに見つける試みがなされている。
【０００４】
例えば、非特許文献１には、真核生物のＧＰＩアンカー型タンパク質を学習のデータセットとして、隠れマルコフモデルとサポートベクターマシン（ＳＶＭ）とを組み合わせた判定手法を用いて、検査対象タンパク質のアミノ酸配列情報から、検査対象タンパク質がＧＰＩアンカー型タンパク質であるか否かを判定する方法が記載されている。
また、非特許文献２には、原核生物及び真核生物のＧＰＩアンカー型タンパク質を学習のデータセットとして、ωサイト前後のアミノ酸配列におけるアミノ酸の性質及び出現頻度をスコア化し、ＧＰＩアンカー修飾部位を予測し、検査対象タンパク質がＧＰＩアンカー型タンパク質であるか否かを判定する方法が記載されている。
さらに、非特許文献３には、ニューラルネットワークの一種であるコホーネン自己組織化マップを用いて、検査対象の真核生物タンパク質がＧＰＩアンカー型タンパク質であるか否かを判定する方法が記載されている。
【先行技術文献】
【非特許文献】
【０００５】
【非特許文献１】Ｐｉｅｒｌｅｏｎｉら、「ＢＭＣ  Ｂｉｏｉｎｆｏｒｍａｔｉｃｓ」、２００８年、ｖｏｌ．９、ｎｏ．３９２、ｐｐ．１−１１
【非特許文献２】Ｅｉｓｅｎｈａｂｅｒら、「Ｊｏｕｒｎａｌ  ｏｆ  Ｍｏｌｅｃｕｌａｒ  Ｂｉｏｌｏｇｙ」、１９９９年、ｖｏｌ．２９２、ｐｐ．７４１−７５８
【非特許文献３】Ｆｒａｎｋｈａｕｓｅｒら、「Ｂｉｏｉｎｆｏｒｍａｔｉｃｓ」、２００５年、ｖｏｌ．２１、ｎｏ．９、ｐｐ．１８４６−１８５２
【発明の概要】
【発明が解決しようとする課題】
【０００６】
しかしながら、上述したような従来のＧＰＩアンカー型タンパク質判定方法は、新規のＧＰＩアンカー型タンパク質を判定する感度及び選択性が十分ではない。そこで、より高い感度及び選択性で、検査対象タンパク質がＧＰＩアンカー型タンパク質であるか否かを判定することへの要求がある。
本発明は、上記事情に鑑みてなされたものであって、高感度且つ高選択的に検査対象タンパク質がＧＰＩアンカー型タンパク質であるか否かを判定することが可能なＧＰＩアンカー型タンパク質の判定装置、判定方法及び判定プログラムを提供することを目的とする。
【課題を解決するための手段】
【０００７】
本発明は上記の課題を解決するためになされたものであり、検査対象タンパク質がＧＰＩアンカー型タンパク質であるか否かを判定するＧＰＩアンカー型タンパク質の判定装置であって、前記検査対象タンパク質のアミノ酸配列情報を取得する配列取得部と、前記配列取得部が取得したアミノ酸配列情報における既知のＧＰＩアンカー型タンパク質のＮ末端側の高疎水性領域に対応する領域のアミノ酸残基のそれぞれに対して、連続するＮ末端側疎水性特性抽出必要数分のアミノ酸残基の各疎水性指標値の平均であるＮ末端側平均疎水性値を算出するＮ末端側疎水性値算出部と、前記Ｎ末端側疎水性値算出部が算出したＮ末端側平均疎水性値の最大値が、既知のＧＰＩアンカー型タンパク質におけるＮ末端側平均疎水性値の特性を示すＮ末端側疎水性閾値以上であるか否かを判定するＮ末端側疎水性判定部と、前記配列取得部が取得したアミノ酸配列情報のうち前記Ｎ末端側疎水性値算出部がＮ末端側平均疎水性値を算出した範囲以外のアミノ酸残基のそれぞれに対して、連続するＮ末端外疎水性特性抽出数分のアミノ酸残基の各疎水性指標値の平均であるＮ末端外平均疎水性値を算出するＮ末端外疎水性値算出部と、前記Ｎ末端外疎水性値算出部が算出したＮ末端外平均疎水性値の最大値が、既知のＧＰＩアンカー型タンパク質におけるＮ末端外平均疎水性値の特性を示すＮ末端外疎水性閾値以上であるか否かを判定するＮ末端外疎水性判定部と、前記Ｎ末端外疎水性値算出部が算出したＮ末端外平均疎水性値が最大となるアミノ酸残基の位置が既知のＧＰＩアンカー型タンパク質のＣ末端側の高疎水性領域に対応する領域内にあるか否かを判定するＣ末端側最大疎水位置判定部と、前記配列取得部が取得したアミノ酸配列情報における既知のＧＰＩアンカー型タンパク質のプロペプチド領域を含む領域である小側鎖サイズ判定領域のアミノ酸残基のそれぞれに対して、連続する側鎖サイズ特性抽出必要数分のアミノ酸残基の各側鎖サイズ指標値の平均値である平均側鎖サイズを算出する側鎖サイズ算出部と、前記側鎖サイズ算出部が算出した平均側鎖サイズが最小となる位置を基準位置とする所定の領域におけるアミノ酸残基の部分配列と、既知のＧＰＩアンカー型タンパク質の平均側鎖サイズが最小となる位置を基準位置とする前記所定の領域におけるアミノ酸残基の部分配列と、の類似度を示すスコアを算出するスコア算出部と、前記スコア算出部が算出したスコアが、前記検査対象タンパク質と既知のＧＰＩアンカー型タンパク質とが類似するか否かを判定するスコア判定閾値以上であるか否かを判定するスコア判定部と、前記Ｎ末端側疎水性判定部、前記Ｎ末端外疎水性判定部、前記Ｃ末端側最大疎水位置判定部、及び前記スコア判定部の判定結果に基づいて前記検査対象タンパク質がＧＰＩアンカー型タンパク質であるか否かを判定するＧＰＩアンカー型タンパク質判定部と、を備えることを特徴とする。
【０００８】
また、本発明において、前記Ｎ末端側疎水性閾値は、予め既知の複数のＧＰＩアンカー型タンパク質に対して前記Ｎ末端側平均疎水性値の算出を行い、当該算出されたＮ末端側平均疎水性値の最大値の集合における最小値であることを特徴とする。
【０００９】
また、本発明において、前記Ｎ末端外疎水性閾値は、予め既知の複数のＧＰＩアンカー型タンパク質に対して前記Ｎ末端外平均疎水性値の算出を行い、当該算出されたＮ末端外平均疎水性値の最大値の集合における最小値であることを特徴とする。
【００１０】
また、本発明において、前記既知のＧＰＩアンカー型タンパク質のＮ末端側の高疎水性領域に対応する領域は、既知のＧＰＩアンカー型タンパク質において、前記Ｎ末端側平均疎水性値が最大となる位置が含まれる領域である、ことを特徴とする。
【００１１】
また、本発明において、前記既知のＧＰＩアンカー型タンパク質のＣ末端側の高疎水性領域に対応する領域は、既知のＧＰＩアンカー型タンパク質のＮ末端側の高疎水性領域に対応する領域以外の領域において、前記Ｎ末端外平均疎水性値が最大となる位置が含まれる領域である、ことを特徴とする。
【００１２】
また、本発明において、前記Ｎ末端側疎水性特性抽出必要数は、当該Ｎ末端側疎水性特性抽出必要数を用いて、既知の複数のＧＰＩアンカー型タンパク質のＮ末端側の高疎水性領域のアミノ酸残基のそれぞれに対してＮ末端側平均疎水性値を算出し、前記既知のＧＰＩアンカー型タンパク質から算出したＮ末端側平均疎水性値の最大値の集合における最小値を抽出し、前記Ｎ末端側疎水性特性抽出必要数を用いて、既知の複数の非ＧＰＩアンカー型タンパク質における既知のＧＰＩアンカー型タンパク質のＮ末端側の高疎水性領域に対応する領域のアミノ酸残基のそれぞれに対してＮ末端側平均疎水性値を算出した場合に、前記既知の非ＧＰＩアンカー型タンパク質から算出したＮ末端側平均疎水性値の最大値のうち、前記抽出した最小値より値が大きいものの個数が最小となるような値であることを特徴とする。
【００１３】
また、本発明において、前記Ｎ末端外疎水性特性抽出必要数は、当該Ｎ末端外疎水性特性抽出必要数を用いて、既知の複数のＧＰＩアンカー型タンパク質のＮ末端側の高疎水性領域以外の領域のアミノ酸残基のそれぞれに対してＮ末端外平均疎水性値を算出し、前記既知のＧＰＩアンカー型タンパク質から算出したＮ末端外平均疎水性値の最大値の集合における最小値を抽出し、前記Ｎ末端外疎水性特性抽出必要数を用いて、既知の複数の非ＧＰＩアンカー型タンパク質における既知のＧＰＩアンカー型タンパク質のＮ末端側の高疎水性領域に対応する領域以外の領域のアミノ酸残基のそれぞれに対してＮ末端外平均疎水性値を算出した場合に、前記既知の非ＧＰＩアンカー型タンパク質から算出したＮ末端外平均疎水性値の最大値のうち、前記抽出した最小値より値が大きいものの個数が最小となるような値であることを特徴とする。
【００１４】
また、本発明において、前記小側鎖サイズ判定領域は、既知のＧＰＩアンカー型タンパク質の前記平均側鎖サイズが最小となる位置が含まれる領域である、ことを特徴とする。
【００１５】
また、本発明において、前記側鎖サイズ特性抽出必要数は、当該側鎖サイズ特性抽出必要数を用いて、既知の複数のＧＰＩアンカー型タンパク質の小側鎖サイズ判定領域に対して平均側鎖サイズを算出した場合に、前記ＧＰＩアンカー型タンパク質から算出した平均側鎖サイズが最小となるアミノ酸残基のうち、当該アミノ酸残基のＣ末端側に隣接するアミノ酸残基がＧＰＩアンカー修飾部位であるものの個数が最大となるような値であることを特徴とする。
【００１６】
また、本発明において、前記スコア算出部は、ＧＰＩアンカー型タンパク質のアミノ酸残基位置におけるアミノ酸残基の種類の出現度合いを示す位置特異的スコアを参照し、前記側鎖サイズ算出部が算出した平均側鎖サイズが最小となる位置を基準位置とする前記所定の領域のアミノ酸残基のそれぞれに対応する前記位置特異的スコアの平均値を前記スコアとして算出することを特徴とする。
【００１７】
また、本発明において、前記位置特異的スコアは、式（４）から算出されたものであることを特徴とする。
【００１８】
また、本発明において、前記所定の領域内の位置ｐに存在するアミノ酸残基の種類ｉの出現頻度は、式（３）から算出されたものであることを特徴とする。
【００１９】
また、本発明において、前記スコア判定閾値は、既知の複数のＧＰＩアンカー型タンパク質について算出した前記スコアの最小値と、既知の複数の非ＧＰＩアンカー型タンパク質について算出した前記スコアの最大値との間の値であることを特徴とする。
【００２０】
また、本発明において、前記スコア判定閾値は、式（６）から算出される値が最大となるような値であることを特徴とする。
【００２１】
また、本発明は、検査対象タンパク質がＧＰＩアンカー型タンパク質であるか否かを判定するＧＰＩアンカー型タンパク質の判定装置を用いた判定方法であって、配列取得部は、前記検査対象タンパク質のアミノ酸配列情報を取得し、Ｎ末端側疎水性値算出部は、前記配列取得部が取得したアミノ酸配列情報における既知のＧＰＩアンカー型タンパク質のＮ末端側の高疎水性領域に対応する領域のアミノ酸残基のそれぞれに対して、連続するＮ末端側疎水性特性抽出必要数分のアミノ酸残基の各疎水性指標値の平均であるＮ末端側平均疎水性値を算出し、Ｎ末端側疎水性判定部は、前記Ｎ末端側疎水性値算出部が算出したＮ末端側平均疎水性値の最大値が、既知のＧＰＩアンカー型タンパク質におけるＮ末端側平均疎水性値の特性を示すＮ末端側疎水性閾値以上であるか否かを判定し、Ｎ末端外疎水性値算出部は、前記配列取得部が取得したアミノ酸配列情報のうち前記Ｎ末端側疎水性値算出部がＮ末端側平均疎水性値を算出した範囲以外のアミノ酸残基のそれぞれに対して、連続するＮ末端外疎水性特性抽出数分のアミノ酸残基の各疎水性指標値の平均であるＮ末端外平均疎水性値を算出し、Ｎ末端外疎水性判定部は、前記Ｎ末端外疎水性値算出部が算出したＮ末端外平均疎水性値の最大値が、既知のＧＰＩアンカー型タンパク質におけるＮ末端外平均疎水性値の特性を示すＮ末端外疎水性閾値以上であるか否かを判定し、Ｃ末端側最大疎水位置判定部は、前記Ｎ末端外疎水性値算出部が算出したＮ末端外平均疎水性値が最大となるアミノ酸残基の位置が既知のＧＰＩアンカー型タンパク質のＣ末端側の高疎水性領域に対応する領域内にあるか否かを判定し、側鎖サイズ算出部は、前記配列取得部が取得したアミノ酸配列情報における既知のＧＰＩアンカー型タンパク質のプロペプチド領域を含む領域である小側鎖サイズ判定領域のアミノ酸残基のそれぞれに対して、連続する側鎖サイズ特性抽出必要数分のアミノ酸残基の各側鎖サイズ指標値の平均値である平均側鎖サイズを算出し、スコア算出部は、前記側鎖サイズ算出部が算出した平均側鎖サイズが最小となる位置を基準位置とする所定の領域におけるアミノ酸残基の部分配列と、既知のＧＰＩアンカー型タンパク質の平均側鎖サイズが最小となる位置を基準位置とする前記所定の領域におけるアミノ酸残基の部分配列と、の類似度を示すスコアを算出し、スコア判定部は、前記スコア算出部が算出したスコアが、前記検査対象タンパク質と既知のＧＰＩアンカー型タンパク質とが類似するか否かを判定するスコア判定閾値以上であるか否かを判定し、ＧＰＩアンカー型タンパク質判定部は、前記Ｎ末端側疎水性判定部、前記Ｎ末端外疎水性判定部、前記Ｃ末端側最大疎水位置判定部、及び前記スコア判定部の判定結果に基づいて前記検査対象タンパク質がＧＰＩアンカー型タンパク質であるか否かを判定する、ことを特徴とする。
【００２２】
また、本発明は、検査対象タンパク質がＧＰＩアンカー型タンパク質であるか否かを判定するＧＰＩアンカー型タンパク質の判定装置を、前記検査対象タンパク質のアミノ酸配列情報を取得する配列取得部、前記配列取得部が取得したアミノ酸配列情報における既知のＧＰＩアンカー型タンパク質のＮ末端側の高疎水性領域に対応する領域のアミノ酸残基のそれぞれに対して、連続するＮ末端側疎水性特性抽出必要数分のアミノ酸残基の各疎水性指標値の平均であるＮ末端側平均疎水性値を算出するＮ末端側疎水性値算出部、前記Ｎ末端側疎水性値算出部が算出したＮ末端側平均疎水性値の最大値が、既知のＧＰＩアンカー型タンパク質におけるＮ末端側平均疎水性値の特性を示すＮ末端側疎水性閾値以上であるか否かを判定するＮ末端側疎水性判定部、前記配列取得部が取得したアミノ酸配列情報のうち前記Ｎ末端側疎水性値算出部がＮ末端側平均疎水性値を算出した範囲以外のアミノ酸残基のそれぞれに対して、連続するＮ末端外疎水性特性抽出数分のアミノ酸残基の各疎水性指標値の平均であるＮ末端外平均疎水性値を算出するＮ末端外疎水性値算出部、前記Ｎ末端外疎水性値算出部が算出したＮ末端外平均疎水性値の最大値が、既知のＧＰＩアンカー型タンパク質におけるＮ末端外平均疎水性値の特性を示すＮ末端外疎水性閾値以上であるか否かを判定するＮ末端外疎水性判定部、前記Ｎ末端外疎水性値算出部が算出したＮ末端外平均疎水性値が最大となるアミノ酸残基の位置が既知のＧＰＩアンカー型タンパク質のＣ末端側の高疎水性領域に対応する領域内にあるか否かを判定するＣ末端側最大疎水位置判定部、前記配列取得部が取得したアミノ酸配列情報における既知のＧＰＩアンカー型タンパク質のプロペプチド領域を含む領域である小側鎖サイズ判定領域のアミノ酸残基のそれぞれに対して、連続する側鎖サイズ特性抽出必要数分のアミノ酸残基の各側鎖サイズ指標値の平均値である平均側鎖サイズを算出する側鎖サイズ算出部、前記側鎖サイズ算出部が算出した平均側鎖サイズが最小となる位置を基準位置とする所定の領域におけるアミノ酸残基の部分配列と、既知のＧＰＩアンカー型タンパク質の平均側鎖サイズが最小となる位置を基準位置とする前記所定の領域におけるアミノ酸残基の部分配列と、の類似度を示すスコアを算出するスコア算出部、前記スコア算出部が算出したスコアが、前記検査対象タンパク質と既知のＧＰＩアンカー型タンパク質とが類似するか否かを判定するスコア判定閾値以上であるか否かを判定するスコア判定部、前記Ｎ末端側疎水性判定部、前記Ｎ末端外疎水性判定部、前記Ｃ末端側最大疎水位置判定部、及び前記スコア判定部の判定結果に基づいて前記検査対象タンパク質がＧＰＩアンカー型タンパク質であるか否かを判定するＧＰＩアンカー型タンパク質判定部、として機能させるための判定プログラムである。
【発明の効果】
【００２３】
本発明によれば、Ｎ末端側の疎水性及びＣ末端側の疎水性の高低と、新規のＰＳＳＭ（ｐｏｓｉｔｉｏｎ  ｓｐｅｃｉｆｉｃ  ｓｃｏｒｉｎｇ  ｍａｔｒｉｘ；位置特異的スコアリングマトリックス）とを用いているため、高感度且つ高選択的に検査対象タンパク質がＧＰＩアンカー型タンパク質であるか否かを判定することができる。
【図面の簡単な説明】
【００２４】
【図１】本発明の一実施形態によるＧＰＩアンカー型タンパク質判定装置の構成を示す概略ブロック図である。
【図２】疎水性指標値記憶部が記憶する情報を示す図である。
【図３】側鎖サイズ指標値記憶部が記憶する情報を示す図である。
【図４】ＰＳＳＭ記憶部が記憶するＰＳＳＭを示す第１の図である。
【図５】ＰＳＳＭ記憶部が記憶するＰＳＳＭを示す第２の図である。
【図６】ＧＰＩアンカー型タンパク質判定装置１００の動作を示すフローチャートである。
【図７】ＧＰＩアンカー型タンパク質の疎水性プロファイルを示す第１のグラフである。
【図８】Ｎ末端側平均疎水性値の算出方法を示す図である。
【図９】既知のＧＰＩアンカー型タンパク質のＮ末端から３０残基以内におけるＮ末端側平均疎水性値の最大値の分布を示すグラフである。
【図１０】ＧＰＩアンカー型タンパク質の疎水性プロファイルを示す第２のグラフである。
【図１１】既知のＧＰＩアンカー型タンパク質及び既知の非ＧＰＩアンカー型タンパク質のＮ末端外平均疎水性値の最大値を示すグラフである。
【図１２】ＧＰＩアンカー型タンパク質の側鎖サイズのプロファイルを示すグラフである。
【図１３】アミノ酸配列の抽出方法を示す図である。
【図１４】位置特異的スコアの割り当て方法を示す図である。
【図１５】冗長性を排除したＧＰＩアンカー型タンパク質データセットに含まれるエントリーネームを示す表である。
【図１６】既知のエントリーに対して算出したスコアの分布を示す図である。
【図１７】スコア判定閾値の候補それぞれを用いた場合の感度と選択性とを示す表である。
【図１８】本実施形態によるＧＰＩアンカー型タンパク質判定装置の判定精度を示す表である。
【図１９】Ｎ末端側疎水性特性抽出必要数を変更した場合の判定精度を示す表である。
【図２０】Ｎ末端外疎水性特性抽出必要数を変更した場合の判定精度を示す表である。
【図２１】側鎖サイズ特性抽出必要数を変更した場合の判定精度を示す表である。
【図２２】基準位置を含む所定の範囲を変更した場合の判定精度を示す表である。
【発明を実施するための形態】
【００２５】
以下、図面を参照しながら本発明の実施形態について詳しく説明する。
図１は、本発明の一実施形態によるＧＰＩアンカー型タンパク質判定装置の構成を示す概略ブロック図である。
ＧＰＩアンカー型タンパク質判定装置１００は、配列記憶部１０１、配列取得部１０２、疎水性指標値記憶部１０３、疎水性指標値特定部１０４、Ｎ末端側疎水性値算出部１０５、Ｎ末端側疎水性判定部１０６、Ｎ末端外疎水性値算出部１０７、Ｎ末端外疎水性判定部１０８、Ｃ末端側最大疎水位置判定部１０９、側鎖サイズ指標値記憶部１１０、側鎖サイズ指標値特定部１１１、側鎖サイズ算出部１１２、ＰＳＳＭ記憶部１１３、スコア算出部１１４、スコア判定部１１５、ＧＰＩアンカー型タンパク質判定部１１６を備える。
【００２６】
配列記憶部１０１は、機能未知の哺乳類のタンパク質の完全長アミノ酸配列情報を記憶する。
配列取得部１０２は、配列記憶部１０１から検査対象となるタンパク質のアミノ酸配列情報を取得する。
疎水性指標値記憶部１０３は、アミノ酸残基に対応付けて当該アミノ酸残基の疎水性指標値を記憶する。
疎水性指標値特定部１０４は、配列取得部１０２が取得したアミノ酸配列の各アミノ酸残基それぞれの疎水性指標値を疎水性指標値記憶部１０３が記憶する疎水性指標値から特定し、アミノ酸残基毎の疎水性指標値を示す連続する数値列を生成する。
Ｎ末端側疎水性値算出部１０５は、疎水性指標値特定部１０４が生成した数値列に基づいて、配列取得部１０２が取得したアミノ酸配列情報が示すＮ末端側の連続するアミノ酸残基の平均疎水性値（Ｎ末端側平均疎水性値）を算出する。
Ｎ末端側疎水性判定部１０６は、Ｎ末端側疎水性値算出部１０５が算出した平均疎水性値の最大値がＮ末端側疎水性閾値以上であるか否かを判定する。ここで、Ｎ末端側疎水性閾値とは、既知のＧＰＩアンカータンパク質におけるＮ末端側平均疎水性値の特性を示す閾値である。
【００２７】
Ｎ末端外疎水性値算出部１０７は、疎水性指標値特定部１０４が生成した数値列に基づいて、配列取得部１０２が取得したアミノ酸配列情報のうち、Ｎ末端側疎水性値算出部１０５が平均疎水性値を算出した範囲以外の連続するアミノ酸残基の平均疎水性値（Ｎ末端外平均疎水性値）を算出する。
Ｎ末端外疎水性判定部１０８は、Ｎ末端外疎水性値算出部１０７が算出した平均疎水性値の最大値がＮ末端外疎水性閾値以上であるか否かを判定する。ここで、Ｎ末端外疎水性閾値とは、既知のＧＰＩアンカー型タンパク質におけるＮ末端外平均疎水性値の特性を示す閾値である。
Ｃ末端側最大疎水位置判定部１０９は、Ｎ末端外疎水性値算出部１０７が算出した平均疎水性値が最大となるアミノ酸残基の位置が既知のＧＰＩアンカー型タンパク質のＣ末端側の高疎水性領域に対応する領域内にあるか否かを判定する。
【００２８】
側鎖サイズ指標値記憶部１１０は、アミノ酸残基に対応付けて当該アミノ酸残基の側鎖サイズ指標値を記憶する。
側鎖サイズ指標値特定部１１１は、配列取得部１０２が取得したアミノ酸配列の各アミノ酸残基それぞれの側鎖サイズ指標値を、側鎖サイズ指標値記憶部１１０が記憶する側鎖サイズ指標値から特定し、アミノ酸残基毎の側鎖サイズ指標値を示す連続する数値列を生成する。
側鎖サイズ算出部１１２は、側鎖サイズ指標値特定部１１１が生成した数値列に基づいて、配列取得部１０２が取得したアミノ酸配列情報が示すＣ末端側のアミノ酸残基の平均残基サイズを算出する。
ＰＳＳＭ記憶部１１３は、ＧＰＩアンカー型タンパク質のアミノ酸残基位置におけるアミノ酸残基の種類の出現度合いを示す位置特異的スコアを保持するＰＳＳＭを記憶する。ここで、位置特異的スコアとは、ＧＰＩアンカー型タンパク質である可能性を示す値であり、当該値が大きいほどＧＰＩアンカー型タンパク質である可能性が高いことを表す。
スコア算出部１１４は、ＰＳＳＭ記憶部１１３が記憶するＰＳＳＭに基づいて、側鎖サイズ算出部１１２が算出した側鎖のサイズの平均が最小となるアミノ酸残基の位置を基準位置とする所定の領域におけるスコアを算出する。ここで算出するスコアは、配列取得部１０２が取得した検査対象となるタンパク質の所定の領域におけるアミノ酸残基の部分配列のアミノ酸出現傾向と既知のＧＰＩアンカー型タンパク質の所定の領域におけるアミノ酸残基の部分配列のアミノ酸出現傾向との類似度を示すスコアである。
スコア判定部１１５は、スコア算出部１１４が算出したスコアが、検査対象タンパク質と既知のＧＰＩアンカー型タンパク質とが類似するか否かを判定するスコア判定閾値以上であるか否かを判定する。
ＧＰＩアンカー型タンパク質判定部１１６は、配列取得部１０２が取得した検査対象となるタンパク質がＧＰＩアンカー型タンパク質であるか否かを判定する。
【００２９】
図２は、疎水性指標値記憶部が記憶する情報を示す図である。
疎水性指標値記憶部１０３は、図２に示すように、アミノ酸残基の各々に対して、当該アミノ酸残基の疎水性を示す指標値を記憶している。なお、本実施形態では、疎水性指標値としてＫＹＴＪ８２０１０１（Ｋｙｔｅ  Ｊ．，Ｄｏｏｌｉｔｔｌｅ  Ｒ．，「Ｊｏｕｒｎａｌ  ｏｆ  Ｍｏｌｅｃｕｌａｒ  Ｂｉｏｌｏｇｙ」、１９８２年、ｖｏｌ．１５７、ｎｏ．１、ｐｐ．１０５−１３２）で示される疎水性指標値を用いている。図２において、アミノ酸残基の「Ａ」はアラニンを示し、「Ｒ」はアルギニンを示し、「Ｎ」はアスパラギンを示し、「Ｄ」はアスパラギン酸を示し、「Ｃ」はシステインを示し、「Ｑ」はグルタミンを示し、「Ｅ」はグルタミン酸を示し、「Ｇ」はグリシンを示し、「Ｈ」はヒスチジンを示し、「Ｉ」はイソロイシンを示し、「Ｌ」はロイシンを示し、「Ｋ」はリシンを示し、「Ｍ」はメチオニンを示し、「Ｆ」はフェニルアラニンを示し、「Ｐ」はプロリンを示し、「Ｓ」はセリンを示し、「Ｔ」はトレオニンを示し、「Ｗ」はトリプトファンを示し、「Ｙ」はチロシンを示し、「Ｖ」はバリンを示す。
【００３０】
図３は、側鎖サイズ指標値記憶部が記憶する情報を示す図である。
側鎖サイズ指標値記憶部１１０は、図３に示すように、アミノ酸残基の各々に対して、当該アミノ酸残基の側鎖のサイズを示す指標値を記憶している。なお、本実施形態では、側鎖サイズ指標値としてＤＡＷＤ７２０１０１（Ｄａｗｓｏｎ  Ｄ．Ｍ．，「Ｔｈｅ  Ｂｉｏｌｏｇｉｃａｌ  Ｇｅｎｅｔｉｃｓ  ｏｆ  Ｍａｎ」、Ａｃａｄｅｍｉｃ  Ｐｒｅｓｓ、１９７２年、ｐｐ．１−３８）で示される側鎖サイズ指標値を用いている。
【００３１】
図４及び図５は、ＰＳＳＭ記憶部が記憶するＰＳＳＭを示す図である。
ＰＳＳＭ記憶部１１３は、図４及び図５に示すように、アミノ酸残基の位置におけるアミノ酸残基の種類の出現度合いを示す位置特異的スコアを要素とするＰＳＳＭを記憶している。図４及び図５では、アミノ酸残基位置の基準位置を０とし、負数側をＮ末端側、正数側をＣ末端側としている。なお、ＰＳＳＭの作成方法については、後述する。ここで、基準位置とは、ＧＰＩアンカー型タンパク質のＧＰＩアンカー修飾部位（ωサイト）のＣ末端側に隣接するアミノ酸残基の位置を示す。
【００３２】
そして、ＧＰＩアンカー型タンパク質判定装置１００において、まず配列取得部１０２は、検査対象タンパク質のアミノ酸配列情報を取得する。次に、Ｎ末端側疎水性値算出部１０５は、配列取得部１０２が取得したアミノ酸配列情報における既知のＧＰＩアンカー型タンパク質のＮ末端側の高疎水性領域に対応する領域のアミノ酸残基のそれぞれに対して、連続するＮ末端側疎水性特性抽出必要数分のアミノ酸残基の各疎水性指標値の平均であるＮ末端側平均疎水性値を算出する。次に、Ｎ末端側疎水性判定部１０６は、Ｎ末端側疎水性値算出部１０５が算出したＮ末端側平均疎水性値の最大値が、既知のＧＰＩアンカー型タンパク質におけるＮ末端側平均疎水性値の特性を示すＮ末端側疎水性閾値以上であるか否かを判定する。
【００３３】
また、Ｎ末端外疎水性値算出部１０７は、配列取得部１０２が取得したアミノ酸配列情報のうちＮ末端側疎水性値算出部１０５がＮ末端側平均疎水性値を算出した範囲以外のアミノ酸残基のそれぞれに対して、連続するＮ末端外疎水性特性抽出数分のアミノ酸残基の各疎水性指標値の平均であるＮ末端外平均疎水性値を算出する。次に、Ｎ末端外疎水性判定部１０８は、Ｎ末端外疎水性値算出部１０７が算出したＮ末端外平均疎水性値の最大値が、既知のＧＰＩアンカー型タンパク質におけるＮ末端外平均疎水性値の特性を示すＮ末端外疎水性閾値以上であるか否かを判定する。また、Ｃ末端側最大疎水位置判定部１０９は、Ｎ末端外疎水性値算出部１０７が算出したＮ末端外平均疎水性値が最大となるアミノ酸残基の位置が既知のＧＰＩアンカー型タンパク質のＣ末端側の高疎水性領域に対応する領域内にあるか否かを判定する。
【００３４】
他方、側鎖サイズ算出部１１２は、配列取得部１０２が取得したアミノ酸配列情報における既知のＧＰＩアンカー型タンパク質のプロペプチド領域に対応する領域のアミノ酸残基のそれぞれに対して、連続する側鎖サイズ特性抽出必要数分のアミノ酸残基の側鎖サイズ指標値の平均値である平均側鎖サイズを算出する。次に、スコア算出部１１４は、側鎖サイズ算出部１１２が算出した平均側鎖サイズが最小となる位置を基準位置とする所定の領域におけるアミノ酸残基の部分配列と、既知のＧＰＩアンカー型タンパク質の平均側鎖サイズが最小となる位置を基準位置とする前記所定の領域におけるアミノ酸残基の部分配列との類似度を示すスコアを算出する。次に、スコア判定部１１５は、スコア算出部１１４が算出したスコアが、検査対象タンパク質と既知のＧＰＩアンカー型タンパク質とが類似するか否かを分類するスコア判定閾値以上であるか否かを判定する。
【００３５】
そして、ＧＰＩアンカー型タンパク質判定部１１６は、Ｎ末端側疎水性判定部１０６、Ｎ末端外疎水性判定部１０８、Ｃ末端側最大疎水位置判定部１０９、及びスコア判定部１１５の判定結果に基づいて、検査対象タンパク質がＧＰＩアンカー型タンパク質であるか否かを判定する。
これにより、ＧＰＩアンカー型タンパク質判定装置１００は、高感度且つ高選択的に検査対象タンパク質がＧＰＩアンカー型タンパク質であるか否かを判定する。
【００３６】
次に、ＧＰＩアンカー型タンパク質判定装置１００の動作を説明する。
図６は、ＧＰＩアンカー型タンパク質判定装置１００の動作を示すフローチャートである。
＜ステップＳ１：配列を取得＞
まず、使用者による動作開始指示により、ＧＰＩアンカー型タンパク質判定装置１００が動作を開始すると、配列取得部１０２は、配列記憶部１０１から検査対象となるタンパク質のアミノ酸配列情報を取得する。
【００３７】
＜ステップＳ２：疎水性指標値を特定＞
配列取得部１０２がアミノ酸配列情報を取得すると、疎水性指標値特定部１０４は、疎水性指標値記憶部１０３を参照して、配列取得部１０２が取得したアミノ酸配列情報の各アミノ酸残基の疎水性指標値を特定し、当該疎水性指標値を示す数値列を生成する。例えば、配列取得部１０２が取得したアミノ酸配列情報が、「ＭＬＬＥＰＧＲＧＣＣ……」という配列を示す場合、疎水性指標値特定部１０４は、疎水性指標値記憶部１０３が記憶する図２に示す指標値より「1.9、3.8、3.8、-3.5、-1.6、-0.4、-4.5、-0.4、2.5、2.5……」という数値列を生成する。
【００３８】
＜ステップＳ３：Ｎ末端側の疎水性指標値を抽出＞
ステップＳ２で、疎水性指標値特定部１０４が疎水性指標値を示す数値列を生成すると、Ｎ末端側疎水性値算出部１０５は、疎水性指標値特定部１０４が生成した数値列から、ＧＰＩアンカー型タンパク質のＮ末端側の高疎水性領域に対応する領域のアミノ酸残基を示す部分数値列を抽出する。
本実施形態では、ＧＰＩアンカー型タンパク質のＮ末端側の高疎水性領域に対応する領域として、Ｎ末端から３０残基以内のアミノ酸残基を用いる。Ｎ末端から３０残基以内のアミノ酸残基の領域は、既知の複数のＧＰＩアンカー型タンパク質のアミノ酸残基のそれぞれに対して、後述するステップＳ４と同様の処理によって平均疎水性値（Ｎ末端側平均疎水性値）を算出した場合に、当該算出した平均疎水性値が最大となるアミノ酸残基列の中央に位置するアミノ酸残基が含まれる領域である。
【００３９】
図７は、ＧＰＩアンカー型タンパク質の疎水性プロファイルを示す第１のグラフである。
図７は、ＳＷＩＳＳ−ＰＲＯＴ  ｖｅｒ５４．０のＢＹ５５＿ＨＵＭＡＮ（１８１ａａ）エントリーに対して、後述するステップＳ４と同様の処理によって算出したＮ末端側平均疎水性値（１１残基平均の場合）を示すグラフである。ここで、横軸は、Ｎ末端側疎水性特性抽出必要数の連続するアミノ酸残基列の中央に位置するアミノ酸残基のＮ末端からの残基位置を示し、縦軸はＮ末端側平均疎水性値の値を示す。
図７に示すように、既知のＧＰＩアンカー型タンパク質のＮ末端側の領域は疎水性が高く、Ｎ末端から３０残基以内にＮ末端側平均疎水性値が最大となる位置が存在する。
【００４０】
＜ステップＳ４：Ｎ末端側平均疎水性値を算出＞
図８は、Ｎ末端側平均疎水性値の算出方法を示す図である。
Ｎ末端側疎水性値算出部１０５は、ステップＳ３でＧＰＩアンカー型タンパク質のＮ末端側の高疎水性領域に対応する領域のアミノ酸残基を示す部分数値列を抽出すると、当該部分数値列の連続するＮ末端側疎水性特性抽出必要数分の各疎水性指標値の平均であるＮ末端側平均疎水性値を、図８に示すように、１残基ずつずらしながら算出する。
ここで、Ｎ末端側疎水性特性抽出必要数の連続するアミノ酸残基列の中央のアミノ酸残基の位置がＮ末端からｒ残基目であるときのＮ末端側平均疎水性値は、式（１）を用いて算出できる。
【００４１】
【数１】
2011060004.tif 000003
【００４２】
但し、ｎは、平均化に用いる前後の残基数を示す。つまり、２ｎ＋１は、Ｎ末端側疎水性特性抽出必要数を示す。また、Ｈ（ｉ）は、Ｎ末端側疎水性特性抽出必要数の連続するアミノ酸残基列の中央のアミノ酸残基の位置がＮ末端からｉ残基目である場合のアミノ酸残基の疎水性指標値を示す。
つまり、Ｎ末端からｒ残基目のアミノ酸残基が中央に位置するアミノ酸残基列のＮ末端側平均疎水性値は、Ｎ末端からｒ−ｎ残基目のアミノ酸残基から、Ｎ末端からｒ＋ｎ残基目のアミノ酸残基までの疎水性指標値の平均となる。なお、このとき、Ｎ末端からｎ残基以内のアミノ酸残基は、前後ｎ残基の平均値を算出できないため、Ｎ末端側平均疎水性値として例えばＮＵＬＬ値を代入しておくと良い。
【００４３】
本実施形態では、Ｎ末端側疎水性特性抽出必要数として１１残基を用いる。つまり、Ｎ末端側平均疎水性値として、Ｎ末端からｒ残基目のアミノ酸残基の前後５残基のアミノ酸残基の疎水性指標値の平均を算出する。ここで、Ｎ末端側疎水性特性抽出必要数を１１残基と決定する方法を説明する。
【００４４】
まず、既知の複数のＧＰＩアンカー型タンパク質のＮ末端側の高疎水性領域、すなわちＮ末端から３０残基以内のアミノ酸残基から、Ｎ末端側疎水性特性抽出必要数の候補となる範囲の平均疎水性値を、１残基ずつずらしながら算出する。次に、既知の複数のＧＰＩアンカー型タンパク質のそれぞれの平均疎水性値の最大値を抽出する。そして、抽出した最大値の集合における最小値を抽出する。
次に、既知の複数の非ＧＰＩアンカー型タンパク質における、既知のＧＰＩアンカー型タンパク質のＮ末端側の高疎水性領域に対応する領域、すなわち既知の複数の非ＧＰＩアンカー型タンパク質のＮ末端から３０残基以内のアミノ酸残基から、Ｎ末端側疎水性特性抽出必要数の候補となる個数の連続するアミノ酸残基列の平均疎水性値を、１残基ずつずらしながら算出する。そして、非ＧＰＩアンカー型タンパク質から算出した平均疎水性値の最大値のうち、既知の複数のＧＰＩアンカー型タンパク質のそれぞれの平均疎水性値の最大値の集合から抽出した最小値より値が大きいものの個数を計数する。
この処理をＮ末端側疎水性特性抽出必要数の候補となる値を変えて実行し、非ＧＰＩアンカー型タンパク質から算出した平均疎水性値の最大値のうち、既知の複数のＧＰＩアンカー型タンパク質のそれぞれの平均疎水性値の最大値の集合から抽出した最小値より値が大きいものの個数が最小となるようなＮ末端側疎水性特性抽出必要数の候補を、Ｎ末端側疎水性特性抽出必要数として決定する。
【００４５】
そして、本実施形態では、ＳＷＩＳＳ−ＰＲＯＴ  ｖｅｒ５４．０より取得した既知の哺乳類ＧＰＩアンカー型タンパク質の完全長アミノ酸配列データセット、及び既知の哺乳類非ＧＰＩアンカー型タンパク質の完全長アミノ酸配列データセットを用いて上述した方法を実行した結果、Ｎ末端側疎水性特性抽出必要数を１１残基として決定した。
【００４６】
＜ステップＳ５：Ｎ末端側平均疎水性値の最大値の判定＞
ステップＳ４で、Ｎ末端側疎水性値算出部１０５が、部分数値列の各疎水性指標値のＮ末端側平均疎水性値を算出すると、Ｎ末端側疎水性判定部１０６は、算出したＮ末端側平均疎水性値の最大値がＮ末端側疎水性閾値以上であるか否かを判定する。なお、Ｎ末端側疎水性閾値は、ＧＰＩアンカー型タンパク質におけるＮ末端側平均疎水性値の特性を示す閾値であり、本実施形態では、Ｎ末端側疎水性閾値として１．５０を用いる。１．５０という値は、予め既知の複数のＧＰＩアンカー型タンパク質に対してＮ末端側平均疎水性値の算出を行い、当該算出されたＮ末端側平均疎水性値の最大値の集合における最小値として算出された値である。
【００４７】
図９は、既知のＧＰＩアンカー型タンパク質のＮ末端から３０残基以内におけるＮ末端側平均疎水性値の最大値の分布を示すグラフである。ここで、横軸はＮ末端側平均疎水性値の最大値を示し、縦軸はＧＰＩアンカー型タンパク質が当該最大値をとる頻度を示す。
図９に示すように、既知のＧＰＩアンカー型タンパク質のＮ末端から３０残基以内のアミノ酸残基から算出されたＮ末端側平均疎水性値の最大値は、Ｎ末端側疎水性閾値である１．５０以上の値となる。従って、検査対象タンパク質のＮ末端から３０残基以内のアミノ酸残基から算出されたＮ末端側平均疎水性値の最大値が１．５０以上であれば、検査対象タンパク質がＧＰＩアンカー型タンパク質である可能性が高く、当該最大値が１．５０未満であれば、検査対象タンパク質がＧＰＩアンカー型タンパク質である可能性が低いと判定できる。
【００４８】
＜ステップＳ６：Ｎ末端外の疎水性指標値を抽出＞
ステップＳ５でＮ末端側疎水性判定部１０６が、算出したＮ末端側平均疎水性値の最大値がＮ末端側疎水性閾値以上であると判定した場合（ステップＳ５：ＹＥＳ）、Ｎ末端外疎水性値算出部１０７は、ステップＳ２で疎水性指標値特定部１０４が生成した数値列から、ステップＳ３でＮ末端側疎水性値算出部１０５が抽出した部分数値列以外の残りの部分数値列を抽出する。すなわち、疎水性指標値特定部１０４が生成した数値列から、Ｎ末端から３０残基以降のアミノ酸残基を示す部分数値列を抽出する。
【００４９】
＜ステップＳ７：Ｎ末端外平均疎水性値を算出＞
次に、Ｎ末端外疎水性値算出部１０７は当該部分数値列の連続するＮ末端外疎水性特性抽出必要数分の各疎水性指標値の平均であるＮ末端外平均疎水性値を、１残基ずつずらしながら算出する。
ここで、Ｎ末端外疎水性特性抽出必要数の連続するアミノ酸残基列の中央のアミノ酸残基の位置がＮ末端からｒ残基目であるときのＮ末端側平均疎水性値は、Ｎ末端側平均疎水性値と同様に、式（１）を用いて算出できる。なお、このとき、Ｃ末端からｎ残基以内のアミノ酸残基は、前後ｎ残基の平均値を算出できないため、Ｎ末端外平均疎水性値として例えばＮＵＬＬ値を代入しておくと良い。
【００５０】
本実施形態では、Ｎ末端外疎水性特性抽出必要数として１７残基を用いる。つまり、Ｎ末端外平均疎水性値として、Ｎ末端からｒ残基目のアミノ酸残基を中心とする前後８残基のアミノ酸残基の疎水性指標値の平均を算出する。ここで、Ｎ末端外疎水性特性抽出必要数を１７残基と決定する方法を説明する。
【００５１】
まず、既知の複数のＧＰＩアンカー型タンパク質のＮ末端側の高疎水性領域以外の領域、すなわちＮ末端から３０残基以降のアミノ酸残基から、Ｎ末端外疎水性特性抽出必要数の候補となる個数の連続するアミノ酸残基列の平均疎水性値を、１残基ずつずらしながら算出する。次に、既知の複数のＧＰＩアンカー型タンパク質のそれぞれの平均疎水性値の最大値を抽出する。そして、抽出した最大値の集合における最小値を抽出する。
次に、既知の複数の非ＧＰＩアンカー型タンパク質における既知の複数のＧＰＩアンカー型タンパク質のＮ末端側の高疎水性領域に対応する領域以外の領域、すなわち既知の複数の非ＧＰＩアンカー型タンパク質のＮ末端から３０残基以降のアミノ酸残基から、Ｎ末端外疎水性特性抽出必要数の候補となる範囲の平均疎水性値を、１残基ずつずらしながら算出する。そして、非ＧＰＩアンカー型タンパク質から算出した平均疎水性値の最大値のうち、既知の複数のＧＰＩアンカー型タンパク質のそれぞれの平均疎水性値の最大値の集合から抽出した最小値より値が大きいものの個数を計数する。
この処理をＮ末端外疎水性特性抽出必要数の候補となる値を変えて実行し、非ＧＰＩアンカー型タンパク質から算出した平均疎水性値の最大値のうち、既知の複数のＧＰＩアンカー型タンパク質のそれぞれの平均疎水性値の最大値の集合から抽出した最小値より値が大きいものの個数が最小となるＮ末端外疎水性特性抽出必要数の候補を、Ｎ末端外疎水性特性抽出必要数として決定する。
【００５２】
図１０は、ＧＰＩアンカー型タンパク質の疎水性プロファイルを示す第２のグラフである。
図１０は、ＳＷＩＳＳ−ＰＲＯＴ  ｖｅｒ５４．０のＢＹ５５＿ＨＵＭＡＮ（１８１ａａ）エントリーに対して、ステップＳ７と同様の処理によって算出したＮ末端外平均疎水性値（１７残基平均の場合）を示すグラフである。ここで、横軸は、Ｎ末端外疎水性特性抽出必要数の連続するアミノ酸残基列の中央に位置するアミノ酸残基のＮ末端からの残基位置を示し、縦軸はＮ末端外平均疎水性値の値を示す。
図１０に示すように、既知のＧＰＩアンカー型タンパク質のＣ末端側の領域は、Ｎ末端からの３０残基に次いで疎水性が高い。
【００５３】
そして、本実施形態では、ＳＷＩＳＳ−ＰＲＯＴ  ｖｅｒ５４．０より取得した既知の哺乳類ＧＰＩアンカー型タンパク質の完全長アミノ酸配列データセット、及び既知の哺乳類非ＧＰＩアンカー型タンパク質の完全長アミノ酸配列データセットを用いて上述した方法を実行した結果、Ｎ末端外疎水性特性抽出必要数を１７残基として決定した。
【００５４】
＜ステップＳ８：Ｎ末端外平均疎水性値の最大値の判定＞
ステップＳ７で、Ｎ末端外疎水性値算出部１０７が、部分数値列の連続するＮ末端外疎水性特性抽出必要数分の各疎水性指標値の平均であるＮ末端外平均疎水性値を、１残基ずつずらしながら算出すると、Ｎ末端外疎水性判定部１０８は、算出したＮ末端外平均疎水性値の最大値がＮ末端外疎水性閾値以上であるか否かを判定する。なお、Ｎ末端外疎水性閾値は、既知のＧＰＩアンカー型タンパク質のＮ末端外平均疎水性値の特性を示す閾値であり、本実施形態では、Ｎ末端外疎水性閾値として１．３８を用いている。
１．３８という値は、予め既知の複数のＧＰＩアンカー型タンパク質に対してＮ末端外平均疎水性値の算出を行い、当該算出されたＮ末端側平均疎水性値の最大値の集合における最小値として算出された値である。
【００５５】
図１１は、既知のＧＰＩアンカー型タンパク質及び既知の非ＧＰＩアンカー型タンパク質のＮ末端外平均疎水性値の最大値を示すグラフである。ここで、横軸は、Ｎ末端外疎水性特性抽出必要数の連続するアミノ酸残基列の中央に位置するアミノ酸残基のＣ末端からの残基位置を示し、縦軸はＮ末端外平均疎水性値の値を示す。
図１１に示すように、既知のＧＰＩアンカー型タンパク質のＮ末端から３０残基以降のアミノ酸残基から算出されたＮ末端外平均疎水性値の最大値は、Ｎ末端外疎水性閾値である１．３８以上の値となる。従って、検査対象タンパク質のＮ末端から３０残基以降のアミノ酸残基から算出されたＮ末端外平均疎水性値の最大値が１．３８以上であれば、検査対象タンパク質がＧＰＩアンカー型タンパク質である可能性が高く、当該最大値が１．３８未満であれば、検査対象タンパク質がＧＰＩアンカー型タンパク質である可能性が低いと判定できる。
【００５６】
＜ステップＳ９：Ｎ末端外平均疎水性値が最大となるアミノ酸残基位置の判定＞
Ｎ末端外疎水性判定部１０８が、算出したＮ末端外平均疎水性値の最大値がＮ末端外疎水性閾値以上であると判定した場合（ステップＳ８：ＹＥＳ）、Ｃ末端側最大疎水位置判定部１０９は、ステップＳ７で算出したＮ末端外平均疎水性値が最大となるアミノ酸残基の位置が、ＧＰＩアンカー型タンパク質のＣ末端側の高疎水性領域に対応する領域内にあるか否かを判定する。
本実施形態では、ＧＰＩアンカー型タンパク質のＣ末端側の高疎水性領域に対応する領域として、Ｃ末端から１４残基以内のアミノ酸残基を用いる。Ｃ末端から１４残基以内のアミノ酸残基という領域は、既知の複数のＧＰＩアンカー型タンパク質のＮ末端側の高疎水性領域以外の領域、すなわちＮ末端から３０残基以降のアミノ酸残基のそれぞれに対してＮ末端外平均疎水性値を算出した場合に、当該算出したＮ末端外平均疎水性値が最大となる連続するアミノ酸残基列の中央に位置するアミノ酸残基が含まれる領域である。
【００５７】
図１１に示すように、既知のＧＰＩアンカー型タンパク質のＮ末端から３０残基以降のアミノ酸残基から算出されたＮ末端外平均疎水性値が最大となるアミノ酸残基列の中央に位置するアミノ酸残基は、Ｃ末端側の高疎水性領域内に存在する。従って、検査対象タンパク質のＮ末端から３０残基以降のアミノ酸残基から算出されたＮ末端外平均疎水性値が最大となるアミノ酸残基列の中央に位置するアミノ酸残基がＧＰＩアンカー型タンパク質のＣ末端側の高疎水性領域に対応する領域内に存在すれば、検査対象タンパク質がＧＰＩアンカー型タンパク質である可能性が高く、当該領域内に存在しなければ、検査対象タンパク質がＧＰＩアンカー型タンパク質である可能性が低いと判定できる。
つまり、図１１における網掛け矩形の範囲が、Ｎ末端外疎水性閾値及びＣ末端側の高疎水性領域の条件を満たす範囲を示し、当該範囲内に含まれる非ＧＰＩアンカー型タンパク質の個数が最小となるよう、Ｎ末端外疎水性閾値及びＣ末端側の高疎水性領域に対応する領域とを決定している。
【００５８】
＜ステップＳ１０：小側鎖サイズ判定領域の残基を抽出＞
Ｃ末端側最大疎水位置判定部１０９が、Ｎ末端外平均疎水性値が最大となるアミノ酸残基の位置がＣ末端から１４残基以内の位置であると判定した場合（ステップＳ９：ＹＥＳ）側鎖サイズ指標値特定部１１１は、ステップＳ１で配列取得部１０２が取得したアミノ酸配列情報から、小側鎖サイズ判定領域のアミノ酸残基に相当する部分配列を抽出する。ここで、小側鎖サイズ判定領域とは、既知のＧＰＩアンカー型タンパク質のプロペプチド領域を含む領域であり、本実施形態では、Ｃ末端から３０残基以内のアミノ酸残基を用いる。Ｃ末端から３０残基以内のアミノ酸残基という領域は、既知のＧＰＩアンカー型タンパク質において、後述するステップＳ１２と同様の処理によって平均側鎖サイズを算出した場合に、当該算出した平均側鎖サイズが最小となるアミノ酸残基列の中央に位置するアミノ酸残基が含まれる領域である。
【００５９】
＜ステップＳ１１：側鎖サイズ指標値を特定＞
側鎖サイズ指標値特定部１１１は、ステップＳ１０で小側鎖サイズ判定領域のアミノ酸残基に相当する部分配列を抽出すると、側鎖サイズ指標値記憶部１１０を参照して、抽出した部分配列が示す各アミノ酸残基に側鎖サイズ指標値を割り当てた数値列を生成する（ステップＳ１１）。例えば、配列取得部１０２が取得したアミノ酸配列情報が、「ＭＬＬＥＰＧＲＧＣＣ……」という配列を示す場合、側鎖サイズ指標値特定部１１１は、側鎖サイズ指標値記憶部１１０が記憶する図３に示す指標値より「6、5.5、5.5、5、5.5、0.5、7.5、0.5、3、3……」という数値列を生成する。
【００６０】
＜ステップＳ１２：平均側鎖サイズを算出＞
ステップＳ１１で、側鎖サイズ指標値特定部１１１が側鎖サイズ指標値を示す数値列を生成すると、側鎖サイズ算出部１１２は、側鎖サイズ指標値特定部１１１が生成した数値列の連続する側鎖サイズ特性抽出必要数分の各側鎖サイズ指標値の平均である平均側鎖サイズを、１残基ずつずらしながら算出する。
ここで、平均側鎖サイズ特性抽出必要分の連続するアミノ酸残基列の中央のアミノ酸残基の位置がＮ末端からｒ残基目であるときの平均側鎖サイズは、式（２）を用いて算出できる。
【００６１】
【数２】
2011060004.tif 000004
【００６２】
但し、ｎは、平均化に用いる前後の残基数を示す。つまり、２ｎ＋１は、側鎖サイズ特性抽出必要数を示す。また、Ｖ（ｉ）はＮ末端からｉ残基目に存在するアミノ酸残基の側鎖サイズ指標値を示す。
つまり、Ｎ末端からｒ残基目のアミノ酸残基が中央に位置するアミノ酸残基列の平均側鎖サイズは、Ｎ末端からｒ−ｎ残基目のアミノ酸残基から、Ｎ末端からｒ＋ｎ残基目のアミノ酸残基までの側鎖サイズ指標値の平均となる。なお、このとき、Ｃ末端からｎ残基以内のアミノ酸残基は、前後ｎ残基の平均値を算出できないため、平均側鎖サイズとして例えばＮＵＬＬ値を代入しておくと良い。
【００６３】
本実施形態では、側鎖サイズ特性抽出必要数として３残基を用いる。つまり、Ｎ末端側平均疎水性値として、Ｎ末端からｒ残基目のアミノ酸残基に隣接するアミノ酸残基の疎水性指標値の平均を算出する。ここで、側鎖サイズ特性抽出必要数を３残基と決定する方法を説明する。
【００６４】
まず、既知の複数のＧＰＩアンカー型タンパク質の小側鎖サイズ判定領域、すなわちＣ末端から３０残基以内のアミノ酸残基から、側鎖サイズ特性抽出必要数の候補となる範囲の平均疎水性値を、１残基ずつずらしながら算出する。次に、既知の複数のＧＰＩアンカー型タンパク質のそれぞれから、平均側鎖サイズが最小となるアミノ酸残基を特定する。そして、当該抽出したアミノ酸残基のＣ末端側に隣接するアミノ酸残基がＧＰＩアンカー修飾部位（ωサイト）であるものの個数を計数する。
この処理をＮ末端側疎水性特性抽出必要数の候補となる値を変えて実行し、全ＧＰＩアンカー型タンパク質のうち、平均側鎖サイズが最小となるアミノ酸残基のＣ末端側に隣接するアミノ酸残基がＧＰＩアンカー修飾部位であるものの個数が最大となる側鎖サイズ特性抽出必要数の候補を、側鎖サイズ特性抽出必要数として決定する。
【００６５】
そして、本実施形態では、ＳＷＩＳＳ−ＰＲＯＴ  ｖｅｒ５４．０より取得した既知の哺乳類ＧＰＩアンカー型タンパク質の完全長アミノ酸配列データセット、及び既知の哺乳類非ＧＰＩアンカー型タンパク質の完全長アミノ酸配列データセットを用いて上述した方法を実行した結果、Ｎ末端側疎水性特性抽出必要数を３残基として決定した。
【００６６】
図１２は、ＧＰＩアンカー型タンパク質の側鎖サイズのプロファイルを示すグラフである。
図１２は、ＳＷＩＳＳ−ＰＲＯＴ  ｖｅｒ５４．０のＢＹ５５＿ＨＵＭＡＮ（１８１ａａ）エントリーに対して、ステップＳ１２と同様の処理によって算出した平均側鎖サイズを示すグラフである。ここで、横軸は、平均側鎖サイズのアミノ酸残基列の中央に位置するアミノ酸残基のＣ末端からの残基位置を示し、縦軸は平均側鎖サイズの値を示す。
図１２に示すように、既知のＧＰＩアンカー型タンパク質のＧＰＩアンカー修飾部位は、平均側鎖サイズが最小となるアミノ酸残基のＣ末端側に隣接している。
【００６７】
＜ステップＳ１３：所定の領域のアミノ酸残基を抽出＞
図１３は、アミノ酸配列の抽出方法を示す図である。
ステップＳ１２で、側鎖サイズ算出部１１２が平均側鎖サイズを算出すると、スコア算出部１１４は、図１３（１）に示すように、側鎖サイズ算出部１１２が算出した平均側鎖サイズが最小となるアミノ酸残基の位置を基準位置として決定する。次に、スコア算出部１１４は、図１３（２）に示すように、当該基準位置を含む所定の領域におけるアミノ酸残基を、ステップＳ１で配列取得部１０２が取得したアミノ酸配列情報から抽出する。
本実施形態では、当該所定の領域として、基準位置からＮ末端側に連続する１０残基のアミノ酸残基とＣ末端側に連続する１２残基のアミノ酸残基とを用いる。すなわち、所定の領域とは、既知のＧＰＩアンカー型タンパク質において、ＧＰＩアンカー修飾部位の前後１１残基のアミノ酸残基を含む領域である。
【００６８】
＜ステップＳ１４：位置特異的スコアを割り当てる＞
図１４は、位置特異的スコアの割り当て方法を示す図である。
次に、スコア算出部１１４は、ＰＳＳＭ記憶部１１３が記憶するＰＳＳＭに基づいて、抽出した所定の範囲の各アミノ酸残基の位置特異的スコアを特定し、当該疎水性指標値を示す数値列を生成する。例えば、抽出した所定の範囲のアミノ酸残基が、図１４に示すように「ＣＱＮＡ……Ｓ」という配列を示す場合、スコア算出部１１４は、図４及び図５に示すＰＳＳＭを参照して、「1.02、2.44、2.12、1.31、……、1.13」という数値列を生成する。
【００６９】
ここで、ステップＳ１４で用いるＰＳＳＭの作成方法を説明する。
まず、既知の哺乳類ＧＰＩアンカー型タンパク質の完全長アミノ酸配列データセット、及び既知の哺乳類非ＧＰＩアンカー型タンパク質の完全長アミノ酸配列データセットを、取得する。本実施形態では、これらのデータセットをＳＷＩＳＳ−ＰＲＯＴ  ｖｅｒ５４．０より取得した。また、ＧＰＩアンカー型タンパク質のデータセットについては、当該アミノ酸配列から翻訳されるＧＰＩアンカー型タンパク質としての特性が実証されていないもの、明らかに完全長ではないもの等を除外した。その結果、ＧＰＩアンカー型タンパク質のエントリー数は３９１であり、非ＧＰＩアンカー型タンパク質のエントリー数は４８９８３であった。
【００７０】
データセットを取得すると、次に、データセットの各エントリーについて、疎水性のスクリーニングを行う。
まず、上述した式（１）及び図２に示す疎水性指標値を用いて、Ｎ末端側疎水性特性抽出必要数を１１残基に設定して（すなわち、式（１）においてｎ＝５に設定して）各エントリーのＮ末端平均疎水性値を算出し、Ｎ末端から３０残基以内の領域における最大のＮ末端側平均疎水性値が１．５０以上のものを抽出する。次に、抽出されたデータセット中の各エントリーの平均疎水性値を、前記式（１）及び図２に示す疎水性指標値を用いて、Ｎ末端外疎水性特性抽出必要数を１７残基に設定して（すなわち、式（１）においてｎ＝８に設定して）算出し、Ｎ末端から３０残基を除く全領域における最大のＮ末端外平均疎水性値が１．３８であり、且つ、該最大のＮ末端外平均疎水性値を示す残基位置がＣ末端から１４残基以内であるものを抽出する。この結果、実際は完全長でないエントリーや、タンパク質としての発現が推定であるエントリーは排除されることとなる。本実施形態では、疎水性スクリーニング後のＧＰＩアンカー型タンパク質データセットのエントリー数は１２１であり、非ＧＰＩアンカー型タンパク質データセットのエントリー数は２１８であった。
【００７１】
次いで、疎水性スクリーニングにより抽出されたデータセットに含まれる同一アミノ酸配列を有するエントリーを除き、冗長性を排除する。この結果、本実施形態では、ＧＰＩアンカー型タンパク質データセットのエントリー数は１１３であり、非ＧＰＩアンカー型タンパク質データセットのエントリー数は２１０であった。冗長性を排除したＧＰＩアンカー型タンパク質データセットに含まれる１１３のＳＷＩＳＳ−ＰＲＯＴ  エントリーネームを図１５に示す。
【００７２】
上記により得られた各データセット中の各エントリーのＣ末端から３０アミノ酸残基までの平均側鎖サイズを、上述した式（２）及び図３に示す側鎖サイズ指標値を用いて、側鎖サイズ特性抽出必要数を３に設定して（すなわち、式（２）においてｎ＝１に設定して）算出する。
そして、データセットのうちＧＰＩアンカー型タンパク質の各エントリーの、平均側鎖サイズが最小となるアミノ酸残基の位置を基準位置とする所定の範囲（基準位置のアミノ酸残基と基準位置からＮ末端側に連続する１０残基のアミノ酸残基とＣ末端側に連続する１２残基のアミノ酸残基とからなる範囲）におけるアミノ酸残基から、式（３）を用いて既知のＧＰＩアンカー型タンパク質の所定の領域内の位置ｐに存在するアミノ酸残基の種類ｉの出現頻度を算出する。
【００７３】
【数３】
2011060004.tif 000005
【００７４】
但し、ｎｉｐは、種類ｉのアミノ酸残基が位置ｐに存在する既知のＧＰＩアンカー型タンパク質の個数を示す。また、εは算出する出現頻度の調整値を示し、本実施形態では１を用いている。また、ｓは、アミノ酸残基の種類数を示す。
これにより、データセットの全てのエントリーにおいて位置ｐに種類ｉが存在しない場合にも、ゼロで除算を行うことを防ぐことができる。
同様に、データセットのうち非ＧＰＩアンカー型タンパク質の各エントリーの、平均側鎖サイズが最小となるアミノ酸残基の位置を基準位置とする所定の範囲におけるアミノ酸残基から、式（３）を用いて既知の非ＧＰＩアンカー型タンパク質の所定の領域内の位置ｐに存在するアミノ酸残基の種類ｉの出現頻度を算出する。
【００７５】
既知のＧＰＩアンカー型タンパク質の所定の領域内の位置ｐに存在するアミノ酸残基の種類ｉの出現頻度、及び既知の非ＧＰＩアンカー型タンパク質の所定の領域内の位置ｐに存在するアミノ酸残基の種類ｉの出現頻度を算出すると、次に、式（４）を用いて、アミノ酸残基の位置ｐにおけるアミノ酸残基の種類ｉの位置特異的スコアを算出する。
【００７６】
【数４】
2011060004.tif 000006
【００７７】
但し、ｆｉｐｐｏｓｉｔｉｖｅは、既知のＧＰＩアンカー型タンパク質の所定の領域内の位置ｐに存在するアミノ酸残基の種類ｉの出現頻度を示す。また、ｆｉｐｎｅｇａｔｉｖｅは、既知の非ＧＰＩアンカー型タンパク質の所定の領域内の位置ｐに存在するアミノ酸残基の種類ｉの出現頻度を示す。つまり、位置特異的スコアは、所定の範囲におけるあるアミノ酸残基の位置におけるアミノ酸残基の種類の、ＧＰＩアンカー型タンパク質における出現度合いを示している。
このように算出された位置特異的スコアを要素とする２３（所定の領域内のアミノ酸残基数）×２０（アミノ酸残基の種類数）の行列をＰＳＳＭとして生成し、ＰＳＳＭ記憶部１１３に格納しておく。これにより、図４及び図５に示すＰＳＳＭを生成することができる。
【００７８】
＜ステップＳ１５：スコア算出＞
スコア算出部１１４は、ステップＳ１４で各アミノ酸残基の位置特異的スコアを示す数値列を生成すると、当該生成した数値列の平均値をスコアとして算出する。つまり、スコアは、式（５）を用いて算出できる。
【００７９】
【数５】
2011060004.tif 000007
【００８０】
但し、ｎは、基準位置からＮ末端側に連続するアミノ酸残基の個数を示し、本実施形態では１０残基を示す。また、ｍは、基準位置からＣ末端側に連続するアミノ酸残基の個数を示し、本実施形態では１２残基を示す。つまり、ｎ＋ｍ＋１は、所定の領域のアミノ酸残基数を示す。また、Ｓｉｐは、基準位置を０とした場合の位置ｐにおける種類ｉのアミノ酸残基の位置特異的スコアを示す。これにより、スコア算出部１１４は、ステップＳ１２で側鎖サイズ算出部１１２が算出した平均側鎖サイズが最小となる位置を基準位置とする所定の領域のアミノ酸残基のそれぞれに対応する位置特異的スコアの平均値を、スコアとして算出する。
なお、検査対象タンパク質の基準位置がＣ末端からｍ残基以内にある場合は、式（５）のｍの代わりにＣ末端から基準位置までのアミノ酸残基数を用いる。
【００８１】
＜ステップＳ１６：スコアの判定＞
ステップＳ１１でスコア算出部１１４がスコアを算出すると、スコア判定部１１５は、算出したスコアがスコア判定閾値以上であるか否かを判定する。なお、スコア判定閾値は、検査対象タンパク質と既知のＧＰＩアンカー型タンパク質とが類似するか否かを判定する閾値であり、本実施形態では、スコア判定閾値として−０．１０２を用いている。
【００８２】
以下に、スコア判定閾値の決定方法を説明する。
まず、上述した既知のＧＰＩアンカー型タンパク質及び既知の非ＧＰＩアンカー型タンパク質のデータセットを用いてＰＳＳＭを生成する。なお、ここで生成されるＰＳＳＭは、本実施形態で用いたＰＳＳＭと同一のものとなる。そして、当該ＰＳＳＭを用いて、ＰＳＳＭの生成に用いたデータセットの各エントリーのスコアを算出する。
【００８３】
図１６は、既知の哺乳類ＧＰＩアンカー型タンパク質の完全長アミノ酸配列データセット、及び既知の哺乳類非ＧＰＩアンカー型タンパク質の完全長アミノ酸配列データセットのエントリーに対して算出したスコアの分布を示す図である。ここで、横軸はスコアの値を示し、縦軸は当該スコアとなるエントリーの出現度数を示す。
図１６に示すように、既知の非ＧＰＩ型タンパク質のスコアは低く、逆に既知のＧＰＩ型タンパク質のスコアは高くなる。
次に、既知のＧＰＩ型タンパク質のスコアの最小値と、既知の非ＧＰＩ型タンパク質のスコアの最大値との間の値をスコア判定閾値の候補として、式（６）を用いて判別の成功率を算出する。
【００８４】
【数６】
2011060004.tif 000008
【００８５】
但し、ＴＰ（Ｔｒｕｅ  Ｐｏｓｉｔｉｖｅ）は、スコアがスコア判定閾値の候補の値以上である既知のＧＰＩアンカー型タンパク質の個数を示す値であり、ＧＰＩアンカー型タンパク質がＧＰＩアンカー型タンパク質であると正しく判定された数を示す。また、ＦＮ（Ｆａｌｓｅ  Ｎｅｇａｔｉｖｅ）は、スコアがスコア判定閾値の候補の値未満である既知のＧＰＩアンカー型タンパク質の個数を示す値であり、ＧＰＩアンカー型タンパク質が非ＧＰＩアンカー型タンパク質であると誤って判定された数を示す。また、ＦＰ（Ｆａｌｓｅ  Ｐｏｓｉｔｉｖｅ）は、スコアがスコア判定閾値の候補の値以上である既知の非ＧＰＩアンカー型タンパク質の個数を示す値であり、非ＧＰＩアンカー型タンパク質がＧＰＩアンカー型タンパク質であると誤って判定された数を示す。
すなわち、ＴＰ／（ＴＰ＋ＦＮ）は、判別の感度を示し、ＴＰ／（ＴＰ＋ＦＰ）は、判別の選択性を示す。
上述した式（６）による判別の成功率の計算を、複数のスコア判定閾値の候補（例えば、既知のＧＰＩ型タンパク質のスコアの最小値と、既知の非ＧＰＩ型タンパク質のスコアの最大値との間の値を０．０５ずつの間隔で抽出した値）について実行する。
【００８６】
図１７は、スコア判定閾値の候補それぞれを用いた場合の感度と選択性とを示す表である。
図１７に示すように、感度は、スコア判定閾値が低いほど高く、選択性は、スコア判定閾値が高いほど高くなる。
そして、算出された成功率が最大となるスコア判定閾値の候補をスコア判定閾値として決定する。本実施形態では、上述した手法により成功率を算出した結果、スコア判定閾値として−０．１０２を用いることで、成功率０．９６９を得ることができた。
【００８７】
なお、本実施形態では成功率が最大となるスコア判定閾値の候補をスコア判定閾値として決定する場合を説明したが、これに限られず、ＧＰＩアンカー型タンパク質をできるだけ多く検出したい場合、すなわち判別の感度を高めたい場合は、スコア判定閾値をより低い値に設定すると良い。また、非ＧＰＩアンカー型タンパク質をできるだけ排除したい場合、すなわち判別の選択性を高めたい場合は、スコア判定閾値をより高い値に設定すると良い。この場合、スコア判定閾値は、既知のＧＰＩ型タンパク質のスコアの最小値と、既知の非ＧＰＩ型タンパク質のスコアの最大値との間の値であることが望ましい。
【００８８】
＜ステップＳ１７：ＧＰＩアンカー型タンパク質と判定＞
ステップＳ１６でスコア判定部１１５が、算出したスコアがスコア判定閾値以上であると判定した場合（ステップＳ１６：ＹＥＳ）、ＧＰＩアンカー型タンパク質判定部１１６は、ステップＳ１で配列取得部１０２が取得したアミノ酸配列情報が、ＧＰＩアンカー型タンパク質のものであると判定する。
【００８９】
＜ステップＳ１８：非ＧＰＩアンカー型タンパク質と判定＞
他方、ステップＳ５でＮ末端側疎水性判定部１０６が、算出したＮ末端側平均疎水性値の最大値がＮ末端側疎水性閾値未満であると判定した場合（ステップＳ５：ＮＯ）、ステップＳ８でＮ末端外疎水性判定部１０８が、算出したＮ末端外平均疎水性値の最大値がＮ末端外疎水性閾値未満であると判定した場合（ステップＳ８：ＮＯ）、ステップＳ９でＣ末端側最大疎水位置判定部１０９が、Ｎ末端外平均疎水性値が最大となるアミノ酸残基の位置がＣ末端側の高疎水性領域に対応する領域内にないと判定した場合（ステップＳ９：ＮＯ）、またはステップＳ１６でスコア判定部１１５が、算出したスコアがスコア判定閾値未満であると判定した場合（ステップＳ１６：ＮＯ）、ＧＰＩアンカー型タンパク質判定部１１６は、ステップＳ１で配列取得部１０２が取得したアミノ酸配列情報が、非ＧＰＩアンカー型タンパク質のものであると判定する。
【００９０】
上述した動作により、ＧＰＩアンカー型タンパク質判定装置１００は、高感度且つ高選択的に検査対象タンパク質がＧＰＩアンカー型タンパク質であるか否かを判定することができる。
図１８は、本実施形態によるＧＰＩアンカー型タンパク質判定装置の判定精度を示す表である。ここで、判定精度とは、判定の感度、選択性、及び成功率のことを言う。
図１８では、ＧＰＩアンカー型タンパク質判定装置１００がＧＰＩアンカー型タンパク質であると判定した検査対象タンパク質の判定精度、及び非ＧＰＩアンカー型タンパク質であると判定した検査対象タンパク質の判定精度を示している。また、図１８では、ＧＰＩアンカー型タンパク質及び非ＧＰＩアンカー型タンパク質それぞれの判定精度について、Ｓｅｌｆ−ｃｏｎｓｉｓｔｅｎｃｙ（自己無撞着）な手法による判定精度と、４−ｆｏｌｄ  ｃｒｏｓｓ  ｖａｌｉｄａｔｉｏｎ法（４分割交差検定法）による判定精度とを示している。
【００９１】
自己無撞着な手法による判定精度とは、以下の処理により算出した判定精度である。
まず、上述したスコア判定閾値の決定方法と同様に、既知のＧＰＩアンカー型タンパク質及び既知の非ＧＰＩアンカー型タンパク質のデータセットを用いてＰＳＳＭを生成し、当該ＰＳＳＭを用いて、ＰＳＳＭの生成に用いたデータセットの各エントリーのスコアを算出する。そして、当該算出したスコアに基づいてデータセット全体に対する判定精度を算出する。
図１８に示すように、本実施形態による、ＧＰＩアンカー型タンパク質の自己無撞着な手法による判定精度は、感度が９６．５％、選択性が９７．３％、成功率が０．９６９であった。また、非ＧＰＩアンカー型タンパク質の自己無撞着な手法による判定精度は、感度が９８．６％、選択性が９８．１％、成功率が０．９８３であった。
【００９２】
他方、４分割交差検定法による判定精度とは、以下の処理により算出した判定精度である。
まず、既知のＧＰＩアンカー型タンパク質及び既知の非ＧＰＩアンカー型タンパク質のデータセットを４等分する。次に、分割したデータセットのうち３つの部分データセットを用いてＰＳＳＭを生成し、当該ＰＳＳＭに基づいて、他の１つの部分データセットの各エントリーのスコアを算出する。次に、当該算出したスコアに基づいて、感度、選択性、成功率を算出する。そして、ＰＳＳＭを生成する部分データセットとスコアを算出する部分データセットとの全ての組み合わせに対して判定精度を算出し、それぞれの平均値をデータセット全体に対する判定精度として算出する。
図１８に示すように、本実施形態による、ＧＰＩアンカー型タンパク質の４分割交差検定法による判定精度は、感度が８６．８％、選択性が９６．４％、成功率が０．９１５であった。また、非ＧＰＩアンカー型タンパク質の４分割交差検定法による判定精度は、感度が９８．２％、選択性が９３．１％、成功率が０．９５６であった。
【００９３】
以下に、Ｎ末端側疎水性特性抽出必要数、Ｎ末端外疎水性特性抽出必要数、側鎖サイズ特性抽出必要数、及び基準位置を含む所定の範囲をそれぞれ変化させてＧＰＩアンカー型タンパク質の判定を行った場合の判定精度を示す。
図１９は、Ｎ末端側疎水性特性抽出必要数を１１から１３に変更した場合の判定精度を示す表である。
図１９に示すように、Ｎ末端側疎水性特性抽出必要数を１３とした場合の、ＧＰＩアンカー型タンパク質の自己無撞着な手法による判定精度は、感度が８９．９％、選択性が９７．２％、成功率が０．９３５であった。また、４分割交差検定法による判定精度は、感度が８８．０％、選択性が８３．８％、成功率が０．８５８であった。
他方、非ＧＰＩアンカー型タンパク質の自己無撞着な手法による判定精度は、感度が９６．９％、選択性が８９．１％、成功率が０．９２９であった。また、４分割交差検定法による判定精度は、感度が７９．４％、選択性が８５．０％、成功率が０．８２０であった。
Ｎ末端側疎水性特性抽出必要数を１３とした場合の判定精度を、図１８に示す本実施形態による判定精度（Ｎ末端側疎水性特性抽出必要数を１１とした場合の判定精度）とを比較すると、ＧＰＩアンカー型タンパク質の４分割交差検定法による感度は、Ｎ末端側疎水性特性抽出必要数を１３とした場合のほうが高いが、他の判定精度は、本実施形態による判定精度のほうが高いことが分かる。
【００９４】
図２０は、Ｎ末端外疎水性特性抽出必要数を１７から１３に変更した場合の判定精度を示す表である。
図２０に示すように、Ｎ末端外疎水性特性抽出必要数を１３とした場合の、ＧＰＩアンカー型タンパク質の自己無撞着な手法による判定精度は、感度が９５．７％、選択性が９１．７％、成功率が０．９３６であった。また、４分割交差検定法による判定精度は、感度が８７．３％、選択性が８６．４％、成功率が０．８６８であった。
他方、非ＧＰＩアンカー型タンパク質の自己無撞着な手法による判定精度は、感度が９０．４％、選択性が９５．０％、成功率が０．９２６であった。また、４分割交差検定法による判定精度は、感度が８４．５％、選択性が８５．９％、成功率が０．８５１であった。
Ｎ末端外疎水性特性抽出必要数を１３とした場合の判定精度を、図１８に示す本実施形態による判定精度（Ｎ末端外疎水性特性抽出必要数を１７とした場合の判定精度）とを比較すると、ＧＰＩアンカー型タンパク質の４分割交差検定法による感度は、Ｎ末端外疎水性特性抽出必要数を１３とした場合のほうが高いが、他の判定精度は、本実施形態による判定精度のほうが高いことが分かる。
【００９５】
図２１は、側鎖サイズ特性抽出必要数を３から５に変更した場合の判定精度を示す表である。
図２１に示すように、側鎖サイズ特性抽出必要数を５とした場合の、ＧＰＩアンカー型タンパク質の自己無撞着な手法による判定精度は、感度が９２．９％、選択性が９８．１％、成功率が０．９５５であった。また、４分割交差検定法による判定精度は、感度が８１．４％、選択性が８３．６％、成功率が０．８２３であった。
他方、非ＧＰＩアンカー型タンパク質の自己無撞着な手法による判定精度は、感度が９９．１％、選択性が９６．３％、成功率が０．９７７であった。また、４分割交差検定法による判定精度は、感度が９０．４％、選択性が９０．２％、成功率が０．９０２であった。
側鎖サイズ特性抽出必要数を５とした場合の判定精度を、図１８に示す本実施形態による判定精度（側鎖サイズ特性抽出必要数を３とした場合の判定精度）とを比較すると、ＧＰＩアンカー型タンパク質の自己無撞着な手法による選択性、及び非ＧＰＩ型タンパク質の自己無撞着な手法による感度は、側鎖サイズ特性抽出必要数を５とした場合のほうが高いが、他の判定精度は、本実施形態による判定精度のほうが高いことが分かる。
【００９６】
図２２は、基準位置を含む所定の範囲を基準位置から（−１０残基〜＋１２残基）を（−１２残基〜＋９残基）に変更した場合の判定精度を示す表である。
図２２に示すように、所定の範囲を、基準位置からＮ末端側に１２残基、Ｃ末端側に９残基の範囲とした場合の、ＧＰＩアンカー型タンパク質の自己無撞着な手法による判定精度は、感度が９６．５％、選択性が９５．６％、成功率が０．９６０であった。また、４分割交差検定法による判定精度は、感度が８０．１％、選択性が９２．７％、成功率が０．８６０であった。
他方、非ＧＰＩアンカー型タンパク質の自己無撞着な手法による判定精度は、感度が９７．６％、選択性が９８．１％、成功率が０．９７９であった。また、４分割交差検定法による判定精度は、感度が９６．４％、選択性が８９．９％、成功率が０．９３１であった。
基準位置を含む所定の範囲を、基準位置からＮ末端側に１２残基、Ｃ末端側に９残基の範囲とした場合の判定精度を、図１８に示す本実施形態による判定精度（基準位置を含む所定の範囲を、基準位置からＮ末端側に１０残基、Ｃ末端側に１２残基の範囲とした場合の判定精度）とを比較すると、本実施形態による判定精度のほうが高いことが分かる。
【００９７】
このように、本実施形態によれば、Ｎ末端側の疎水性及びＣ末端側の疎水性の高低と、ＰＳＳＭとを用いているため、高感度且つ高選択的に検査対象タンパク質がＧＰＩアンカー型タンパク質であるか否かを判定することができる。
【００９８】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、タンパク質の完全長アミノ酸配列情報を検査対象として判定を行ったが、これに限られず、完全長塩基配列情報を検査対象として判定を行っても良い。但し、この場合、ステップＳ１で配列取得部１０２が完全長塩基配列情報を取得した後、図示しない翻訳処理部が、常法によるイントロ配列の除去処理及びアミノ酸配列情報への翻訳処理を行い、当該アミノ酸配列情報を用いてステップＳ２以降の処理を行う。
【００９９】
上述のＧＰＩアンカー型タンパク質判定装置１００は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【０１００】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【０１０１】
１００…ＧＰＩアンカー型タンパク質判定装置  １０１…配列記憶部  １０２…配列取得部  １０３…疎水性指標値記憶部  １０４…疎水性指標値特定部  １０５…Ｎ末端側疎水性値算出部  １０６…Ｎ末端側疎水性判定部  １０７…Ｎ末端外疎水性値算出部  １０８…Ｎ末端外疎水性判定部  １０９…Ｃ末端側最大疎水位置判定部  １１０…側鎖サイズ指標値記憶部  １１１…側鎖サイズ指標値特定部  １１２…側鎖サイズ算出部  １１３…ＰＳＳＭ記憶部  １１４…スコア算出部  １１５…スコア判定部  １１６…ＧＰＩアンカー型タンパク質判定部
【図１】
2011060004.tif 000012
【図２】
2011060004.tif 000013
【図３】
2011060004.tif 000014
【図４】
2011060004.tif 000015
【図５】
2011060004.tif 000016
【図６】
2011060004.tif 000017
【図７】
2011060004.tif 000018
【図８】
2011060004.tif 000019
【図９】
2011060004.tif 000020
【図１０】
2011060004.tif 000021
【図１１】
2011060004.tif 000022
【図１２】
2011060004.tif 000023
【図１３】
2011060004.tif 000024
【図１４】
2011060004.tif 000025
【図１５】
2011060004.tif 000026
【図１６】
2011060004.tif 000027
【図１７】
2011060004.tif 000028
【図１８】
2011060004.tif 000029
【図１９】
2011060004.tif 000030
【図２０】
2011060004.tif 000031
【図２１】
2011060004.tif 000032
【図２２】
2011060004.tif 000033
【手続補正書】
【提出日】平成22年7月28日(2010.7.28)
【手続補正１】
【補正対象書類名】明細書
【補正対象項目名】０００７
【補正方法】変更
【補正の内容】
【０００７】
本発明は上記の課題を解決するためになされたものであり、検査対象タンパク質がＧＰＩアンカー型タンパク質であるか否かを判定するＧＰＩアンカー型タンパク質の判定装置であって、前記検査対象タンパク質のアミノ酸配列情報を取得する配列取得部と、前記配列取得部が取得したアミノ酸配列情報における既知のＧＰＩアンカー型タンパク質のＮ末端側の高疎水性領域に対応する領域として、前記アミノ酸配列情報のＮ末端から予め定められた残基数の領域を特定し、当該Ｎ末端側の高疎水性領域に対応する領域のアミノ酸残基を抽出し、前記Ｎ末端側の高疎水性領域に対応する領域のアミノ酸残基の疎水性値の平均化に用いる残基数であるＮ末端側疎水性特性抽出必要数を用いて、連続する当該Ｎ末端側疎水性特性抽出必要数分のアミノ酸残基の各疎水性指標値の平均であるＮ末端側平均疎水性値を、前記抽出したアミノ酸残基のそれぞれに対して１残基ずつずらしながら複数算出するＮ末端側疎水性値算出部と、前記Ｎ末端側疎水性値算出部が算出した複数のＮ末端側平均疎水性値のうちの最大値が、既知のＧＰＩアンカー型タンパク質におけるＮ末端側平均疎水性値の特性を示すＮ末端側疎水性閾値以上であるか否かを判定するＮ末端側疎水性判定部と、前記配列取得部が取得したアミノ酸配列情報のうち前記Ｎ末端側疎水性値算出部がＮ末端側平均疎水性値を算出した範囲以外の領域として、前記アミノ酸配列情報の前記Ｎ末端から予め定められた残基数のアミノ酸残基以外の領域を特定し、当該Ｎ末端側平均疎水性値を算出した範囲以外のアミノ酸残基を抽出し、前記Ｎ末端側平均疎水性値を算出した範囲以外のアミノ酸残基の疎水性値の平均化に用いる残基数であるＮ末端外疎水性特性抽出数を用いて、連続する当該Ｎ末端外疎水性特性抽出数分のアミノ酸残基の各疎水性指標値の平均であるＮ末端外平均疎水性値を、前記抽出したアミノ酸残基のそれぞれに対して１残基ずつずらしながら複数算出するＮ末端外疎水性値算出部と、前記Ｎ末端外疎水性値算出部が算出した複数のＮ末端外平均疎水性値のうちの最大値が、既知のＧＰＩアンカー型タンパク質におけるＮ末端外平均疎水性値の特性を示すＮ末端外疎水性閾値以上であるか否かを判定するＮ末端外疎水性判定部と、既知のＧＰＩアンカー型タンパク質のＣ末端側の高疎水性領域に対応する領域として、前記アミノ酸配列情報のＣ末端から予め定められた残基数の領域を特定し、前記Ｎ末端外疎水性値算出部が算出したＮ末端外平均疎水性値が最大となるアミノ酸残基の位置が当該特定した領域内にあるか否かを判定するＣ末端側最大疎水位置判定部と、前記配列取得部が取得したアミノ酸配列情報における既知のＧＰＩアンカー型タンパク質のプロペプチド領域を含む領域として、前記アミノ酸配列情報のＣ末端から予め定められた残基数の領域を特定し、当該プロペプチド領域を含む領域のアミノ酸残基を抽出し、当該抽出したアミノ酸残基のそれぞれに対して、当該プロペプチド領域を含む領域のアミノ酸残基の側鎖サイズの平均化に用いる残基数である側鎖サイズ特性抽出必要数を用いて、連続する当該側鎖サイズ特性抽出必要数分のアミノ酸残基の各側鎖サイズ指標値の平均値である平均側鎖サイズを１残基ずつずらしながら複数算出する側鎖サイズ算出部と、前記側鎖サイズ算出部が算出した平均側鎖サイズが最小となる位置を基準位置とする、当該基準位置からＮ末端側及びＣ末端側に連続する所定の残基数のアミノ酸残基からなる所定の領域におけるアミノ酸残基の部分配列と、既知のＧＰＩアンカー型タンパク質の平均側鎖サイズが最小となる位置を基準位置とする前記所定の領域におけるアミノ酸残基の部分配列との類似度を示すスコアを算出するにあたり、記憶部に記憶されている既知のＧＰＩアンカー型タンパク質のアミノ酸残基位置におけるアミノ酸残基の種類の出現度合いを示す位置特異的スコアを前記記憶部から取得し、当該位置特異的スコアに基づき、前記部分配列の各アミノ酸残基の位置特異的スコアを特定して数値列を生成し、当該数値列の平均値を算出し、当該算出した平均値を前記スコアとして算出するスコア算出部と、前記スコア算出部が算出したスコアが、前記検査対象タンパク質と既知のＧＰＩアンカー型タンパク質とが類似するか否かを判定するスコア判定閾値以上であるか否かを判定するスコア判定部と、前記Ｎ末端側疎水性判定部が、前記Ｎ末端側疎水性値算出部の算出したＮ末端側平均疎水性値の最大値が前記Ｎ末端側疎水性閾値未満であると判定した場合、前記Ｎ末端外疎水性判定部が、前記Ｎ末端外疎水性値算出部の算出したＮ末端外平均疎水性値の最大値が前記Ｎ末端外疎水性閾値未満であると判定した場合、前記Ｃ末端側最大疎水位置判定部が、前記Ｎ末端外疎水性値算出部の算出したＮ末端外平均疎水性値が最大となるアミノ酸残基の位置が前記既知のＧＰＩアンカー型タンパク質のＣ末端側の高疎水性領域に対応する領域内にないと判定した場合、または前記スコア判定部が、前記スコア算出部の算出したスコアが前記スコア判定閾値未満であると判定した場合に、前記検査対象タンパク質がＧＰＩアンカー型タンパク質でないと判定するＧＰＩアンカー型タンパク質判定部と、を備えることを特徴とする。
【手続補正２】
【補正対象書類名】明細書
【補正対象項目名】００１６
【補正方法】削除
【補正の内容】
【手続補正３】
【補正対象書類名】明細書
【補正対象項目名】００２１
【補正方法】変更
【補正の内容】
【００２１】
また、本発明は、検査対象タンパク質がＧＰＩアンカー型タンパク質であるか否かを判定するＧＰＩアンカー型タンパク質の判定装置を用いた判定方法であって、ＧＰＩアンカー型タンパク質の判定装置の配列取得部は、前記検査対象タンパク質のアミノ酸配列情報を取得し、ＧＰＩアンカー型タンパク質の判定装置のＮ末端側疎水性値算出部は、前記配列取得部が取得したアミノ酸配列情報における既知のＧＰＩアンカー型タンパク質のＮ末端側の高疎水性領域に対応する領域として、前記アミノ酸配列情報のＮ末端から予め定められた残基数の領域を特定し、当該Ｎ末端側の高疎水性領域に対応する領域のアミノ酸残基を抽出し、前記Ｎ末端側の高疎水性領域に対応する領域のアミノ酸残基の疎水性値の平均化に用いる残基数であるＮ末端側疎水性特性抽出必要数を用いて、連続する当該Ｎ末端側疎水性特性抽出必要数分のアミノ酸残基の各疎水性指標値の平均であるＮ末端側平均疎水性値を、前記抽出したアミノ酸残基のそれぞれに対して１残基ずつずらしながら複数算出し、ＧＰＩアンカー型タンパク質の判定装置のＮ末端側疎水性判定部は、前記Ｎ末端側疎水性値算出部が算出した複数のＮ末端側平均疎水性値のうちの最大値が、既知のＧＰＩアンカー型タンパク質におけるＮ末端側平均疎水性値の特性を示すＮ末端側疎水性閾値以上であるか否かを判定し、ＧＰＩアンカー型タンパク質の判定装置のＮ末端外疎水性値算出部は、前記配列取得部が取得したアミノ酸配列情報のうち前記Ｎ末端側疎水性値算出部がＮ末端側平均疎水性値を算出した範囲以外の領域として、前記アミノ酸配列情報の前記Ｎ末端から予め定められた残基数のアミノ酸残基以外の領域を特定し、当該Ｎ末端側平均疎水性値を算出した範囲以外のアミノ酸残基を抽出し、前記Ｎ末端側平均疎水性値を算出した範囲以外のアミノ酸残基の疎水性値の平均化に用いる残基数であるＮ末端外疎水性特性抽出数を用いて、連続する当該Ｎ末端外疎水性特性抽出数分のアミノ酸残基の各疎水性指標値の平均であるＮ末端外平均疎水性値を、前記抽出したアミノ酸残基のそれぞれに対して１残基ずつずらしながら複数算出し、ＧＰＩアンカー型タンパク質の判定装置のＮ末端外疎水性判定部は、前記Ｎ末端外疎水性値算出部が算出した複数のＮ末端外平均疎水性値のうちの最大値が、既知のＧＰＩアンカー型タンパク質におけるＮ末端外平均疎水性値の特性を示すＮ末端外疎水性閾値以上であるか否かを判定し、ＧＰＩアンカー型タンパク質の判定装置のＣ末端側最大疎水位置判定部は、既知のＧＰＩアンカー型タンパク質のＣ末端側の高疎水性領域に対応する領域として、前記アミノ酸配列情報のＣ末端から予め定められた残基数の領域を特定し、前記Ｎ末端外疎水性値算出部が算出したＮ末端外平均疎水性値が最大となるアミノ酸残基の位置が当該特定した領域内にあるか否かを判定し、ＧＰＩアンカー型タンパク質の判定装置の側鎖サイズ算出部は、前記配列取得部が取得したアミノ酸配列情報における既知のＧＰＩアンカー型タンパク質のプロペプチド領域を含む領域として、前記アミノ酸配列情報のＣ末端から予め定められた残基数の領域を特定し、当該プロペプチド領域を含む領域のアミノ酸残基を抽出し、当該抽出したアミノ酸残基のそれぞれに対して、当該プロペプチド領域を含む領域のアミノ酸残基の側鎖サイズの平均化に用いる残基数である側鎖サイズ特性抽出必要数を用いて、連続する当該側鎖サイズ特性抽出必要数分のアミノ酸残基の各側鎖サイズ指標値の平均値である平均側鎖サイズを１残基ずつずらしながら複数算出し、ＧＰＩアンカー型タンパク質の判定装置のスコア算出部は、前記側鎖サイズ算出部が算出した平均側鎖サイズが最小となる位置を基準位置とする、当該基準位置からＮ末端側及びＣ末端側に連続する所定の残基数のアミノ酸残基からなる所定の領域におけるアミノ酸残基の部分配列と、既知のＧＰＩアンカー型タンパク質の平均側鎖サイズが最小となる位置を基準位置とする前記所定の領域におけるアミノ酸残基の部分配列との類似度を示すスコアを算出するにあたり、記憶部に記憶されている既知のＧＰＩアンカー型タンパク質のアミノ酸残基位置におけるアミノ酸残基の種類の出現度合いを示す位置特異的スコアを前記記憶部から取得し、当該位置特異的スコアに基づき、前記部分配列の各アミノ酸残基の位置特異的スコアを特定して数値列を生成し、当該数値列の平均値を算出し、当該算出した平均値を前記スコアとして算出し、ＧＰＩアンカー型タンパク質の判定装置のスコア判定部は、前記スコア算出部が算出したスコアが、前記検査対象タンパク質と既知のＧＰＩアンカー型タンパク質とが類似するか否かを判定するスコア判定閾値以上であるか否かを判定し、ＧＰＩアンカー型タンパク質の判定装置のＧＰＩアンカー型タンパク質判定部は、前記Ｎ末端側疎水性判定部が、前記Ｎ末端側疎水性値算出部の算出したＮ末端側平均疎水性値の最大値が前記Ｎ末端側疎水性閾値未満であると判定した場合、前記Ｎ末端外疎水性判定部が、前記Ｎ末端外疎水性値算出部の算出したＮ末端外平均疎水性値の最大値が前記Ｎ末端外疎水性閾値未満であると判定した場合、前記Ｃ末端側最大疎水位置判定部が、前記Ｎ末端外疎水性値算出部の算出したＮ末端外平均疎水性値が最大となるアミノ酸残基の位置が前記既知のＧＰＩアンカー型タンパク質のＣ末端側の高疎水性領域に対応する領域内にないと判定した場合、または前記スコア判定部が、前記スコア算出部の算出したスコアが前記スコア判定閾値未満であると判定した場合に、前記検査対象タンパク質がＧＰＩアンカー型タンパク質でないと判定する、ことを特徴とする。
【手続補正４】
【補正対象書類名】明細書
【補正対象項目名】００２２
【補正方法】変更
【補正の内容】
【００２２】
また、本発明は、検査対象タンパク質がＧＰＩアンカー型タンパク質であるか否かを判定するＧＰＩアンカー型タンパク質の判定装置を、前記検査対象タンパク質のアミノ酸配列情報を取得する配列取得部、前記配列取得部が取得したアミノ酸配列情報における既知のＧＰＩアンカー型タンパク質のＮ末端側の高疎水性領域に対応する領域として、前記アミノ酸配列情報のＮ末端から予め定められた残基数の領域を特定し、当該Ｎ末端側の高疎水性領域に対応する領域のアミノ酸残基を抽出し、前記Ｎ末端側の高疎水性領域に対応する領域のアミノ酸残基の疎水性値の平均化に用いる残基数であるＮ末端側疎水性特性抽出必要数を用いて、連続する当該Ｎ末端側疎水性特性抽出必要数分のアミノ酸残基の各疎水性指標値の平均であるＮ末端側平均疎水性値を、前記抽出したアミノ酸残基のそれぞれに対して１残基ずつずらしながら複数算出するＮ末端側疎水性値算出部、前記Ｎ末端側疎水性値算出部が算出した複数のＮ末端側平均疎水性値のうちの最大値が、既知のＧＰＩアンカー型タンパク質におけるＮ末端側平均疎水性値の特性を示すＮ末端側疎水性閾値以上であるか否かを判定するＮ末端側疎水性判定部、前記配列取得部が取得したアミノ酸配列情報のうち前記Ｎ末端側疎水性値算出部がＮ末端側平均疎水性値を算出した範囲以外の領域として、前記アミノ酸配列情報の前記Ｎ末端から予め定められた残基数のアミノ酸残基以外の領域を特定し、当該Ｎ末端側平均疎水性値を算出した範囲以外のアミノ酸残基を抽出し、前記Ｎ末端側平均疎水性値を算出した範囲以外のアミノ酸残基の疎水性値の平均化に用いる残基数であるＮ末端外疎水性特性抽出数を用いて、連続する当該Ｎ末端外疎水性特性抽出数分のアミノ酸残基の各疎水性指標値の平均であるＮ末端外平均疎水性値を、前記抽出したアミノ酸残基のそれぞれに対して１残基ずつずらしながら複数算出するＮ末端外疎水性値算出部、前記Ｎ末端外疎水性値算出部が算出した複数のＮ末端外平均疎水性値のうちの最大値が、既知のＧＰＩアンカー型タンパク質におけるＮ末端外平均疎水性値の特性を示すＮ末端外疎水性閾値以上であるか否かを判定するＮ末端外疎水性判定部、既知のＧＰＩアンカー型タンパク質のＣ末端側の高疎水性領域に対応する領域として、前記アミノ酸配列情報のＣ末端から予め定められた残基数の領域を特定し、前記Ｎ末端外疎水性値算出部が算出したＮ末端外平均疎水性値が最大となるアミノ酸残基の位置が当該特定した領域内にあるか否かを判定するＣ末端側最大疎水位置判定部、前記配列取得部が取得したアミノ酸配列情報における既知のＧＰＩアンカー型タンパク質のプロペプチド領域を含む領域として、前記アミノ酸配列情報のＣ末端から予め定められた残基数の領域を特定し、当該プロペプチド領域を含む領域のアミノ酸残基を抽出し、当該抽出したアミノ酸残基のそれぞれに対して、当該プロペプチド領域を含む領域のアミノ酸残基の側鎖サイズの平均化に用いる残基数である側鎖サイズ特性抽出必要数を用いて、連続する当該側鎖サイズ特性抽出必要数分のアミノ酸残基の各側鎖サイズ指標値の平均値である平均側鎖サイズを１残基ずつずらしながら複数算出する側鎖サイズ算出部、前記側鎖サイズ算出部が算出した平均側鎖サイズが最小となる位置を基準位置とする、当該基準位置からＮ末端側及びＣ末端側に連続する所定の残基数のアミノ酸残基からなる所定の領域におけるアミノ酸残基の部分配列と、既知のＧＰＩアンカー型タンパク質の平均側鎖サイズが最小となる位置を基準位置とする前記所定の領域におけるアミノ酸残基の部分配列との類似度を示すスコアを算出するにあたり、記憶部に記憶されている既知のＧＰＩアンカー型タンパク質のアミノ酸残基位置におけるアミノ酸残基の種類の出現度合いを示す位置特異的スコアを前記記憶部から取得し、当該位置特異的スコアに基づき、前記部分配列の各アミノ酸残基の位置特異的スコアを特定して数値列を生成し、当該数値列の平均値を算出し、当該算出した平均値を前記スコアとして算出するスコア算出部、前記スコア算出部が算出したスコアが、前記検査対象タンパク質と既知のＧＰＩアンカー型タンパク質とが類似するか否かを判定するスコア判定閾値以上であるか否かを判定するスコア判定部、前記Ｎ末端側疎水性判定部が、前記Ｎ末端側疎水性値算出部の算出したＮ末端側平均疎水性値の最大値が前記Ｎ末端側疎水性閾値未満であると判定した場合、前記Ｎ末端外疎水性判定部が、前記Ｎ末端外疎水性値算出部の算出したＮ末端外平均疎水性値の最大値が前記Ｎ末端外疎水性閾値未満であると判定した場合、前記Ｃ末端側最大疎水位置判定部が、前記Ｎ末端外疎水性値算出部の算出したＮ末端外平均疎水性値が最大となるアミノ酸残基の位置が前記既知のＧＰＩアンカー型タンパク質のＣ末端側の高疎水性領域に対応する領域内にないと判定した場合、または前記スコア判定部が、前記スコア算出部の算出したスコアが前記スコア判定閾値未満であると判定した場合に、前記検査対象タンパク質がＧＰＩアンカー型タンパク質でないと判定するＧＰＩアンカー型タンパク質判定部、として機能させるための判定プログラムである。
【手続補正５】
【補正対象書類名】特許請求の範囲
【補正対象項目名】全文
【補正方法】変更
【補正の内容】
【特許請求の範囲】
【請求項１】
検査対象タンパク質がＧＰＩアンカー型タンパク質であるか否かを判定するＧＰＩアンカー型タンパク質の判定装置であって、
前記検査対象タンパク質のアミノ酸配列情報を取得する配列取得部と、
前記配列取得部が取得したアミノ酸配列情報における既知のＧＰＩアンカー型タンパク質のＮ末端側の高疎水性領域に対応する領域として、前記アミノ酸配列情報のＮ末端から予め定められた残基数の領域を特定し、当該Ｎ末端側の高疎水性領域に対応する領域のアミノ酸残基を抽出し、前記Ｎ末端側の高疎水性領域に対応する領域のアミノ酸残基の疎水性値の平均化に用いる残基数であるＮ末端側疎水性特性抽出必要数を用いて、連続する当該Ｎ末端側疎水性特性抽出必要数分のアミノ酸残基の各疎水性指標値の平均であるＮ末端側平均疎水性値を、前記抽出したアミノ酸残基のそれぞれに対して１残基ずつずらしながら複数算出するＮ末端側疎水性値算出部と、
前記Ｎ末端側疎水性値算出部が算出した複数のＮ末端側平均疎水性値のうちの最大値が、既知のＧＰＩアンカー型タンパク質におけるＮ末端側平均疎水性値の特性を示すＮ末端側疎水性閾値以上であるか否かを判定するＮ末端側疎水性判定部と、
前記配列取得部が取得したアミノ酸配列情報のうち前記Ｎ末端側疎水性値算出部がＮ末端側平均疎水性値を算出した範囲以外の領域として、前記アミノ酸配列情報の前記Ｎ末端から予め定められた残基数のアミノ酸残基以外の領域を特定し、当該Ｎ末端側平均疎水性値を算出した範囲以外のアミノ酸残基を抽出し、前記Ｎ末端側平均疎水性値を算出した範囲以外のアミノ酸残基の疎水性値の平均化に用いる残基数であるＮ末端外疎水性特性抽出数を用いて、連続する当該Ｎ末端外疎水性特性抽出数分のアミノ酸残基の各疎水性指標値の平均であるＮ末端外平均疎水性値を、前記抽出したアミノ酸残基のそれぞれに対して１残基ずつずらしながら複数算出するＮ末端外疎水性値算出部と、
前記Ｎ末端外疎水性値算出部が算出した複数のＮ末端外平均疎水性値のうちの最大値が、既知のＧＰＩアンカー型タンパク質におけるＮ末端外平均疎水性値の特性を示すＮ末端外疎水性閾値以上であるか否かを判定するＮ末端外疎水性判定部と、
既知のＧＰＩアンカー型タンパク質のＣ末端側の高疎水性領域に対応する領域として、前記アミノ酸配列情報のＣ末端から予め定められた残基数の領域を特定し、前記Ｎ末端外疎水性値算出部が算出したＮ末端外平均疎水性値が最大となるアミノ酸残基の位置が当該特定した領域内にあるか否かを判定するＣ末端側最大疎水位置判定部と、
前記配列取得部が取得したアミノ酸配列情報における既知のＧＰＩアンカー型タンパク質のプロペプチド領域を含む領域として、前記アミノ酸配列情報のＣ末端から予め定められた残基数の領域を特定し、当該プロペプチド領域を含む領域のアミノ酸残基を抽出し、当該抽出したアミノ酸残基のそれぞれに対して、当該プロペプチド領域を含む領域のアミノ酸残基の側鎖サイズの平均化に用いる残基数である側鎖サイズ特性抽出必要数を用いて、連続する当該側鎖サイズ特性抽出必要数分のアミノ酸残基の各側鎖サイズ指標値の平均値である平均側鎖サイズを１残基ずつずらしながら複数算出する側鎖サイズ算出部と、
前記側鎖サイズ算出部が算出した平均側鎖サイズが最小となる位置を基準位置とする、当該基準位置からＮ末端側及びＣ末端側に連続する所定の残基数のアミノ酸残基からなる所定の領域におけるアミノ酸残基の部分配列と、既知のＧＰＩアンカー型タンパク質の平均側鎖サイズが最小となる位置を基準位置とする前記所定の領域におけるアミノ酸残基の部分配列と、の類似度を示すスコアを算出するにあたり、記憶部に記憶されている既知のＧＰＩアンカー型タンパク質のアミノ酸残基位置におけるアミノ酸残基の種類の出現度合いを示す位置特異的スコアを前記記憶部から取得し、当該位置特異的スコアに基づき、前記部分配列の各アミノ酸残基の位置特異的スコアを特定して数値列を生成し、当該数値列の平均値を算出し、当該算出した平均値を前記スコアとして算出するスコア算出部と、
前記スコア算出部が算出したスコアが、前記検査対象タンパク質と既知のＧＰＩアンカー型タンパク質とが類似するか否かを判定するスコア判定閾値以上であるか否かを判定するスコア判定部と、
前記Ｎ末端側疎水性判定部が、前記Ｎ末端側疎水性値算出部の算出したＮ末端側平均疎水性値の最大値が前記Ｎ末端側疎水性閾値未満であると判定した場合、前記Ｎ末端外疎水性判定部が、前記Ｎ末端外疎水性値算出部の算出したＮ末端外平均疎水性値の最大値が前記Ｎ末端外疎水性閾値未満であると判定した場合、前記Ｃ末端側最大疎水位置判定部が、前記Ｎ末端外疎水性値算出部の算出したＮ末端外平均疎水性値が最大となるアミノ酸残基の位置が前記既知のＧＰＩアンカー型タンパク質のＣ末端側の高疎水性領域に対応する領域内にないと判定した場合、または前記スコア判定部が、前記スコア算出部の算出したスコアが前記スコア判定閾値未満であると判定した場合に、前記検査対象タンパク質がＧＰＩアンカー型タンパク質でないと判定するＧＰＩアンカー型タンパク質判定部と、
を備えることを特徴とするＧＰＩアンカー型タンパク質の判定装置。
【請求項２】
前記Ｎ末端側疎水性閾値は、
予め既知の複数のＧＰＩアンカー型タンパク質に対して前記Ｎ末端側平均疎水性値の算出を行い、当該算出されたＮ末端側平均疎水性値の最大値の集合における最小値である
ことを特徴とする請求項１に記載のＧＰＩアンカー型タンパク質の判定装置。
【請求項３】
前記Ｎ末端外疎水性閾値は、
予め既知の複数のＧＰＩアンカー型タンパク質に対して前記Ｎ末端外平均疎水性値の算出を行い、当該算出されたＮ末端外平均疎水性値の最大値の集合における最小値である
ことを特徴とする請求項１または請求項２の何れか１項に記載のＧＰＩアンカー型タンパク質の判定装置。
【請求項４】
前記既知のＧＰＩアンカー型タンパク質のＮ末端側の高疎水性領域に対応する領域は、
既知のＧＰＩアンカー型タンパク質において、前記Ｎ末端側平均疎水性値が最大となる位置が含まれる領域である、
ことを特徴とする請求項１から請求項３の何れか１項に記載のＧＰＩアンカー型タンパク質の判定装置。
【請求項５】
前記既知のＧＰＩアンカー型タンパク質のＣ末端側の高疎水性領域に対応する領域は、
既知のＧＰＩアンカー型タンパク質のＮ末端側の高疎水性領域に対応する領域以外の領域において、前記Ｎ末端外平均疎水性値が最大となる位置が含まれる領域である、
ことを特徴とする請求項１から請求項４の何れか１項に記載のＧＰＩアンカー型タンパク質の判定装置。
【請求項６】
前記Ｎ末端側疎水性特性抽出必要数は、
当該Ｎ末端側疎水性特性抽出必要数を用いて、既知の複数のＧＰＩアンカー型タンパク質のＮ末端側の高疎水性領域のアミノ酸残基のそれぞれに対してＮ末端側平均疎水性値を算出し、前記既知のＧＰＩアンカー型タンパク質から算出したＮ末端側平均疎水性値の最大値の集合における最小値を抽出し、前記Ｎ末端側疎水性特性抽出必要数を用いて、既知の複数の非ＧＰＩアンカー型タンパク質における既知のＧＰＩアンカー型タンパク質のＮ末端側の高疎水性領域に対応する領域のアミノ酸残基のそれぞれに対してＮ末端側平均疎水性値を算出した場合に、前記既知の非ＧＰＩアンカー型タンパク質から算出したＮ末端側平均疎水性値の最大値のうち、前記抽出した最小値より値が大きいものの個数が最小となるような値である
ことを特徴とする請求項１から請求項５の何れか１項に記載のＧＰＩアンカー型タンパク質の判定装置。
【請求項７】
前記Ｎ末端外疎水性特性抽出必要数は、
当該Ｎ末端外疎水性特性抽出必要数を用いて、既知の複数のＧＰＩアンカー型タンパク質のＮ末端側の高疎水性領域以外の領域のアミノ酸残基のそれぞれに対してＮ末端外平均疎水性値を算出し、前記既知のＧＰＩアンカー型タンパク質から算出したＮ末端外平均疎水性値の最大値の集合における最小値を抽出し、前記Ｎ末端外疎水性特性抽出必要数を用いて、既知の複数の非ＧＰＩアンカー型タンパク質における既知のＧＰＩアンカー型タンパク質のＮ末端側の高疎水性領域に対応する領域以外の領域のアミノ酸残基のそれぞれに対してＮ末端外平均疎水性値を算出した場合に、前記既知の非ＧＰＩアンカー型タンパク質から算出したＮ末端外平均疎水性値の最大値のうち、前記抽出した最小値より値が大きいものの個数が最小となるような値である
ことを特徴とする請求項１から請求項６の何れか１項に記載のＧＰＩアンカー型タンパク質の判定装置。
【請求項８】
前記小側鎖サイズ判定領域は、
既知のＧＰＩアンカー型タンパク質の前記平均側鎖サイズが最小となる位置が含まれる領域である、
ことを特徴とする請求項１から請求項７に何れか１項に記載のＧＰＩアンカー型タンパク質の判定装置。
【請求項９】
前記側鎖サイズ特性抽出必要数は、
当該側鎖サイズ特性抽出必要数を用いて、既知の複数のＧＰＩアンカー型タンパク質の小側鎖サイズ判定領域に対して平均側鎖サイズを算出した場合に、前記ＧＰＩアンカー型タンパク質から算出した平均側鎖サイズが最小となるアミノ酸残基のうち、当該アミノ酸残基のＣ末端側に隣接するアミノ酸残基がＧＰＩアンカー修飾部位であるものの個数が最大となるような値である
ことを特徴とする請求項１から請求項８の何れか１項に記載のＧＰＩアンカー型タンパク質の判定装置。
【請求項１０】
前記位置特異的スコアは、
既知の複数のＧＰＩアンカー型タンパク質の平均側鎖サイズが最小となる位置を基準位置とする前記所定の領域内の位置ｐに存在するアミノ酸残基の種類ｉの出現頻度を示すｆｉｐｐｏｓｉｔｉｖｅ、既知の複数の非ＧＰＩアンカー型タンパク質の平均側鎖サイズが最小となる位置を基準位置とする前記所定の領域内の位置ｐに存在するアミノ酸残基の種類ｉの出現頻度を示すｆｉｐｎｅｇａｔｉｖｅを用いて、
【数１】
2011060004.tif 000034
から算出されたものであることを特徴とする請求項１から請求項９の何れか１項に記載のＧＰＩアンカー型タンパク質の判定装置。
【請求項１１】
前記所定の領域内の位置ｐに存在するアミノ酸残基の種類ｉの出現頻度は、
種類ｉのアミノ酸残基が位置ｐに存在する既知のＧＰＩアンカー型タンパク質の個数を示すｎｉｐと、当該出現頻度の調整値を示すεと、アミノ酸残基の種類数ｓとを用いて、
【数２】
2011060004.tif 000035
から算出されたものであることを特徴とする請求項１０に記載のＧＰＩアンカー型タンパク質の判定装置。
【請求項１２】
前記スコア判定閾値は、
既知の複数のＧＰＩアンカー型タンパク質について算出した前記スコアの最小値と、既知の複数の非ＧＰＩアンカー型タンパク質について算出した前記スコアの最大値との間の値である
ことを特徴とする請求項１から請求項１１の何れか１項に記載のＧＰＩアンカー型タンパク質の判定装置。
【請求項１３】
前記スコア判定閾値は、
前記スコアが当該スコア判定閾値以上である既知のＧＰＩアンカー型タンパク質の個数を示すＴＰ、前記スコアが当該スコア判定閾値以上である既知の非ＧＰＩアンカー型タンパク質の個数を示すＦＮ、前記スコアが当該スコア判定閾値未満である既知のＧＰＩアンカー型タンパク質の個数を示すＦＰを用いて、
【数３】
2011060004.tif 000036
から算出される値が最大となるような値である
こと特徴とする請求項１２に記載のＧＰＩアンカー型タンパク質の判定装置。
【請求項１４】
検査対象タンパク質がＧＰＩアンカー型タンパク質であるか否かを判定するＧＰＩアンカー型タンパク質の判定装置を用いた判定方法であって、
ＧＰＩアンカー型タンパク質の判定装置の配列取得部は、前記検査対象タンパク質のアミノ酸配列情報を取得し、
ＧＰＩアンカー型タンパク質の判定装置のＮ末端側疎水性値算出部は、前記配列取得部が取得したアミノ酸配列情報における既知のＧＰＩアンカー型タンパク質のＮ末端側の高疎水性領域に対応する領域として、前記アミノ酸配列情報のＮ末端から予め定められた残基数の領域を特定し、当該Ｎ末端側の高疎水性領域に対応する領域のアミノ酸残基を抽出し、前記Ｎ末端側の高疎水性領域に対応する領域のアミノ酸残基の疎水性値の平均化に用いる残基数であるＮ末端側疎水性特性抽出必要数を用いて、連続する当該Ｎ末端側疎水性特性抽出必要数分のアミノ酸残基の各疎水性指標値の平均であるＮ末端側平均疎水性値を、前記抽出したアミノ酸残基のそれぞれに対して１残基ずつずらしながら複数算出し、
ＧＰＩアンカー型タンパク質の判定装置のＮ末端側疎水性判定部は、前記Ｎ末端側疎水性値算出部が算出した複数のＮ末端側平均疎水性値のうちの最大値が、既知のＧＰＩアンカー型タンパク質におけるＮ末端側平均疎水性値の特性を示すＮ末端側疎水性閾値以上であるか否かを判定し、
ＧＰＩアンカー型タンパク質の判定装置のＮ末端外疎水性値算出部は、前記配列取得部が取得したアミノ酸配列情報のうち前記Ｎ末端側疎水性値算出部がＮ末端側平均疎水性値を算出した範囲以外の領域として、前記アミノ酸配列情報の前記Ｎ末端から予め定められた残基数のアミノ酸残基以外の領域を特定し、当該Ｎ末端側平均疎水性値を算出した範囲以外のアミノ酸残基を抽出し、前記Ｎ末端側平均疎水性値を算出した範囲以外のアミノ酸残基の疎水性値の平均化に用いる残基数であるＮ末端外疎水性特性抽出数を用いて、連続する当該Ｎ末端外疎水性特性抽出数分のアミノ酸残基の各疎水性指標値の平均であるＮ末端外平均疎水性値を、前記抽出したアミノ酸残基のそれぞれに対して１残基ずつずらしながら複数算出し、
ＧＰＩアンカー型タンパク質の判定装置のＮ末端外疎水性判定部は、前記Ｎ末端外疎水性値算出部が算出した複数のＮ末端外平均疎水性値のうちの最大値が、既知のＧＰＩアンカー型タンパク質におけるＮ末端外平均疎水性値の特性を示すＮ末端外疎水性閾値以上であるか否かを判定し、
ＧＰＩアンカー型タンパク質の判定装置のＣ末端側最大疎水位置判定部は、既知のＧＰＩアンカー型タンパク質のＣ末端側の高疎水性領域に対応する領域として、前記アミノ酸配列情報のＣ末端から予め定められた残基数の領域を特定し、前記Ｎ末端外疎水性値算出部が算出したＮ末端外平均疎水性値が最大となるアミノ酸残基の位置が当該特定した領域内にあるか否かを判定し、
ＧＰＩアンカー型タンパク質の判定装置の側鎖サイズ算出部は、前記配列取得部が取得したアミノ酸配列情報における既知のＧＰＩアンカー型タンパク質のプロペプチド領域を含む領域として、前記アミノ酸配列情報のＣ末端から予め定められた残基数の領域を特定し、当該プロペプチド領域を含む領域のアミノ酸残基を抽出し、当該抽出したアミノ酸残基のそれぞれに対して、当該プロペプチド領域を含む領域のアミノ酸残基の側鎖サイズの平均化に用いる残基数である側鎖サイズ特性抽出必要数を用いて、連続する当該側鎖サイズ特性抽出必要数分のアミノ酸残基の各側鎖サイズ指標値の平均値である平均側鎖サイズを１残基ずつずらしながら複数算出し、
ＧＰＩアンカー型タンパク質の判定装置のスコア算出部は、前記側鎖サイズ算出部が算出した平均側鎖サイズが最小となる位置を基準位置とする、当該基準位置からＮ末端側及びＣ末端側に連続する所定の残基数のアミノ酸残基からなる所定の領域におけるアミノ酸残基の部分配列と、既知のＧＰＩアンカー型タンパク質の平均側鎖サイズが最小となる位置を基準位置とする前記所定の領域におけるアミノ酸残基の部分配列との類似度を示すスコアを算出するにあたり、記憶部に記憶されている既知のＧＰＩアンカー型タンパク質のアミノ酸残基位置におけるアミノ酸残基の種類の出現度合いを示す位置特異的スコアを前記記憶部から取得し、当該位置特異的スコアに基づき、前記部分配列の各アミノ酸残基の位置特異的スコアを特定して数値列を生成し、当該数値列の平均値を算出し、当該算出した平均値を前記スコアとして算出し、
ＧＰＩアンカー型タンパク質の判定装置のスコア判定部は、前記スコア算出部が算出したスコアが、前記検査対象タンパク質と既知のＧＰＩアンカー型タンパク質とが類似するか否かを判定するスコア判定閾値以上であるか否かを判定し、
ＧＰＩアンカー型タンパク質の判定装置のＧＰＩアンカー型タンパク質判定部は、前記Ｎ末端側疎水性判定部が、前記Ｎ末端側疎水性値算出部の算出したＮ末端側平均疎水性値の最大値が前記Ｎ末端側疎水性閾値未満であると判定した場合、前記Ｎ末端外疎水性判定部が、前記Ｎ末端外疎水性値算出部の算出したＮ末端外平均疎水性値の最大値が前記Ｎ末端外疎水性閾値未満であると判定した場合、前記Ｃ末端側最大疎水位置判定部が、前記Ｎ末端外疎水性値算出部の算出したＮ末端外平均疎水性値が最大となるアミノ酸残基の位置が前記既知のＧＰＩアンカー型タンパク質のＣ末端側の高疎水性領域に対応する領域内にないと判定した場合、または前記スコア判定部が、前記スコア算出部の算出したスコアが前記スコア判定閾値未満であると判定した場合に、前記検査対象タンパク質がＧＰＩアンカー型タンパク質でないと判定する、
ことを特徴とする判定方法。
【請求項１５】
検査対象タンパク質がＧＰＩアンカー型タンパク質であるか否かを判定するＧＰＩアンカー型タンパク質の判定装置を、
前記検査対象タンパク質のアミノ酸配列情報を取得する配列取得部、
前記配列取得部が取得したアミノ酸配列情報における既知のＧＰＩアンカー型タンパク質のＮ末端側の高疎水性領域に対応する領域として、前記アミノ酸配列情報のＮ末端から予め定められた残基数の領域を特定し、当該Ｎ末端側の高疎水性領域に対応する領域のアミノ酸残基を抽出し、前記Ｎ末端側の高疎水性領域に対応する領域のアミノ酸残基の疎水性値の平均化に用いる残基数であるＮ末端側疎水性特性抽出必要数を用いて、連続する当該Ｎ末端側疎水性特性抽出必要数分のアミノ酸残基の各疎水性指標値の平均であるＮ末端側平均疎水性値を、前記抽出したアミノ酸残基のそれぞれに対して１残基ずつずらしながら複数算出するＮ末端側疎水性値算出部、
前記Ｎ末端側疎水性値算出部が算出した複数のＮ末端側平均疎水性値のうちの最大値が、既知のＧＰＩアンカー型タンパク質におけるＮ末端側平均疎水性値の特性を示すＮ末端側疎水性閾値以上であるか否かを判定するＮ末端側疎水性判定部、
前記配列取得部が取得したアミノ酸配列情報のうち前記Ｎ末端側疎水性値算出部がＮ末端側平均疎水性値を算出した範囲以外の領域として、前記アミノ酸配列情報の前記Ｎ末端から予め定められた残基数のアミノ酸残基以外の領域を特定し、当該Ｎ末端側平均疎水性値を算出した範囲以外のアミノ酸残基を抽出し、前記Ｎ末端側平均疎水性値を算出した範囲以外のアミノ酸残基の疎水性値の平均化に用いる残基数であるＮ末端外疎水性特性抽出数を用いて、連続する当該Ｎ末端外疎水性特性抽出数分のアミノ酸残基の各疎水性指標値の平均であるＮ末端外平均疎水性値を、前記抽出したアミノ酸残基のそれぞれに対して１残基ずつずらしながら複数算出するＮ末端外疎水性値算出部、
前記Ｎ末端外疎水性値算出部が算出した複数のＮ末端外平均疎水性値のうちの最大値が、既知のＧＰＩアンカー型タンパク質におけるＮ末端外平均疎水性値の特性を示すＮ末端外疎水性閾値以上であるか否かを判定するＮ末端外疎水性判定部、
既知のＧＰＩアンカー型タンパク質のＣ末端側の高疎水性領域に対応する領域として、前記アミノ酸配列情報のＣ末端から予め定められた残基数の領域を特定し、前記Ｎ末端外疎水性値算出部が算出したＮ末端外平均疎水性値が最大となるアミノ酸残基の位置が当該特定した領域内にあるか否かを判定するＣ末端側最大疎水位置判定部、
前記配列取得部が取得したアミノ酸配列情報における既知のＧＰＩアンカー型タンパク質のプロペプチド領域を含む領域として、前記アミノ酸配列情報のＣ末端から予め定められた残基数の領域を特定し、当該プロペプチド領域を含む領域のアミノ酸残基を抽出し、当該抽出したアミノ酸残基のそれぞれに対して、当該プロペプチド領域を含む領域のアミノ酸残基の側鎖サイズの平均化に用いる残基数である側鎖サイズ特性抽出必要数を用いて、連続する当該側鎖サイズ特性抽出必要数分のアミノ酸残基の各側鎖サイズ指標値の平均値である平均側鎖サイズを１残基ずつずらしながら複数算出する側鎖サイズ算出部、
前記側鎖サイズ算出部が算出した平均側鎖サイズが最小となる位置を基準位置とする、当該基準位置からＮ末端側及びＣ末端側に連続する所定の残基数のアミノ酸残基からなる所定の領域におけるアミノ酸残基の部分配列と、既知のＧＰＩアンカー型タンパク質の平均側鎖サイズが最小となる位置を基準位置とする前記所定の領域におけるアミノ酸残基の部分配列との類似度を示すスコアを算出するにあたり、記憶部に記憶されている既知のＧＰＩアンカー型タンパク質のアミノ酸残基位置におけるアミノ酸残基の種類の出現度合いを示す位置特異的スコアを前記記憶部から取得し、当該位置特異的スコアに基づき、前記部分配列の各アミノ酸残基の位置特異的スコアを特定して数値列を生成し、当該数値列の平均値を算出し、当該算出した平均値を前記スコアとして算出するスコア算出部、
前記スコア算出部が算出したスコアが、前記検査対象タンパク質と既知のＧＰＩアンカー型タンパク質とが類似するか否かを判定するスコア判定閾値以上であるか否かを判定するスコア判定部、
前記Ｎ末端側疎水性判定部が、前記Ｎ末端側疎水性値算出部の算出したＮ末端側平均疎水性値の最大値が前記Ｎ末端側疎水性閾値未満であると判定した場合、前記Ｎ末端外疎水性判定部が、前記Ｎ末端外疎水性値算出部の算出したＮ末端外平均疎水性値の最大値が前記Ｎ末端外疎水性閾値未満であると判定した場合、前記Ｃ末端側最大疎水位置判定部が、前記Ｎ末端外疎水性値算出部の算出したＮ末端外平均疎水性値が最大となるアミノ酸残基の位置が前記既知のＧＰＩアンカー型タンパク質のＣ末端側の高疎水性領域に対応する領域内にないと判定した場合、または前記スコア判定部が、前記スコア算出部の算出したスコアが前記スコア判定閾値未満であると判定した場合に、前記検査対象タンパク質がＧＰＩアンカー型タンパク質でないと判定するＧＰＩアンカー型タンパク質判定部、
として機能させるための判定プログラム。